(57)【要約】【課題】基板ボックスを取り付けるための係合機構により基板ボックスの視認性が阻害されることなく良好に維持されるとともに、遊技盤の裏面側における前後方向のスペースが係合機構により占有されることも少ない遊技機を提供すること。【解決手段】遊技機の裏面側に第１制御基板ボックス２０１Ａを連結固定する係合機構を、係合孔９２６（係合部）が形成された挿入片９２３を有するヒンジ部材９０（第１機構部）と、挿入片９２３を受容して係合孔９２６を内部の係合片で係合させ得る挿入口８６Ｓを有する連結封止部８６（第２機構部）とで構成し、遊技機の裏面側にヒンジ部材９０を、基板ボックス２０１Ａ側に連結封止部８６を設け、基板ボックス２０１Ａ側の連結封止部８６を、基板ボックス２０１Ａの表面側被覆領域にも裏面側被覆領域にも重なることなく周囲の位置に設ける。【選択図】      図４０
2010148807.tif 000002
【特許請求の範囲】
【請求項１】
制御基板を内部に収容する基板ボックスが、係合機構を介して遊技機の裏面側に連結固定され、
前記基板ボックスは、制御基板の表面側を覆う表面側被覆領域と裏面側を覆う裏面側被覆領域とを有し、
前記係合機構は、係合部が形成された挿入片を有する第１機構部と、前記挿入片を受容して前記係合部を内部で係合させ得る挿入口を有する第２機構部とで構成され、前記遊技機の裏面側に第１機構部または第２機構部が設けられ、前記基板ボックス側に第２機構部または第１機構部が設けられた遊技機であって、
前記基板ボックス側に設けられた第２機構部または第１機構部が、該基板ボックスの表面側被覆領域にも裏面側被覆領域にも重なることなく該基板ボックスの周囲の位置に設けられていることを特徴とする遊技機。
【発明の詳細な説明】
【技術分野】
【０００１】
本発明は、パチンコ機やスロットマシンに代表される遊技機に関するものである。
【背景技術】
【０００２】
パチンコ機やスロットマシンなどの遊技機には、制御基板を基板ボックスに収容して遊技盤の裏面側に配置するようにしたものがあるが、基板ボックスは例えばこれを取り外して不正な改変を加えたり、あるいは別に不正基板を収容して構成した偽造品に付け替えたりするといった不正行為がなされやすい。このため、このような不正行為を防止する上では基板ボックスを容易に取り外すことが困難な取付構造とすることが望まれる。ところが、このように取り外しの困難な取付構造とすると、今度は遊技機の製造時に基板ボックスを取り付ける作業が煩雑となることが避けられない。
【０００３】
そこで、例えば下記特許文献１では、遊技盤側に係合部が形成された挿入片を設けるとともに、基板ボックス側に、該挿入片を受容して前記係合部を内部で係合させ得る挿入口を設けるようにした基板ボックスの取付構造が提案されている。この取付構造によれば、挿入片を挿入口に挿入するだけで基板ボックスを取り付けることができるので取付作業を容易に行うことができ、かつ、挿入片を挿入口に挿入した後は、該挿入片の係合部が挿入口の内部で係合しているため外部からは係合状態を解除することができず、したがって基板ボックスを不正に取り外すことを困難とすることができる。
【特許文献１】特開２００８−０６７８６１号公報
【発明の開示】
【発明が解決しようとする課題】
【０００４】
しかしながら、上記のような取付構造においては、挿入片を受容し得る挿入口を設けると、当然、基板ボックス側でそれ相応の容量を占有することとなるが、上記特許文献１に開示の取付構造では、基板ボックスの遊技盤側面に台座部材を設け、この台座部材に挿入口を設けるようにしており、この構成によっては、台座部材によって基板ボックスの視認性が阻害され、例えば基板ボックス内における不正な改変の有無といった内部状況が、台座部材が邪魔となって外部から十分に視認されないという問題があった。
【０００５】
また、遊技機の構成の複雑化にともない、遊技盤の裏面側に配置される部品の構成も多様化し、部品点数も増加する傾向にあるため、なるべく部品の配置スペースを確保することが望まれるが、上記従来の取付構造では、遊技盤の裏面側における前後方向のスペースを多少とも台座部材が占有してしまうという問題が避けられない。
【０００６】
本発明は、かかる問題点に鑑みて案出されたものであり、挿入片と該挿入片を受容する挿入口とで構成される係合機構により基板ボックスが裏面側に取り付けられた遊技機において、基板ボックスの視認性が係合機構により阻害されることなく良好に維持されるとともに、遊技機の裏面側における前後方向のスペースが係合機構により占有されることも少ない遊技機を提供することを目的とする。
【課題を解決するための手段】
【０００７】
本発明にかかる遊技機は、上記目的を達成するために、
制御基板を内部に収容する基板ボックスが、係合機構を介して遊技機の裏面側に連結固定され、
前記基板ボックスは、制御基板の表面側を覆う表面側被覆領域と裏面側を覆う裏面側被覆領域とを有し、
前記係合機構は、係合部が形成された挿入片を有する第１機構部と、前記挿入片を受容して前記係合部を内部で係合させ得る挿入口を有する第２機構部とで構成され、前記遊技機の裏面側に第１機構部または第２機構部が設けられ、前記基板ボックス側に第２機構部または第１機構部が設けられた遊技機であって、
前記基板ボックス側に設けられた第２機構部または第１機構部が、該基板ボックスの表面側被覆領域にも裏面側被覆領域にも重なることなく該基板ボックスの周囲の位置に設けられていることを特徴とする。
【０００８】
本発明において、「表面側被覆領域」および「裏面側被覆領域」とは、制御基板の外形を表面側および裏面側に向けて基板面に垂直な方向に投影した場合に、基板ボックスを構成する壁面上に形成される図形によって包囲される領域のことである。したがって、表面側被覆領域ないし裏面側被覆領域内にある基板ボックスの壁面は、制御基板に平行な平面だけでなく、それ以外の平面や、さらには平面以外の、曲面や凹凸を有するもの等の任意の形状のものが含まれる。
【０００９】
上記本発明の構成によれば、基板ボックス内に収容された制御基板を表側ないし裏側から視た場合に第２機構部または第１機構部が邪魔になることがなく、したがって制御基板の視認性が良好に維持され、内部状況の確認に支障をきたすようなこともない。
また、基板ボックスにおける表面側被覆領域ないし裏面側被覆領域の前後のスペースを第２機構部または第１機構部が占有することがなく、したがってそのぶん遊技機の裏面側における前後方向のスペースを確保することができる。
【発明の効果】
【００１０】
本発明によれば、基板ボックスの視認性を係合機構により阻害されることなく良好に維持することができるとともに、遊技盤の裏面側における前後方向のスペースを係合機構により占有されることなく効率よく確保することができる。
【発明を実施するための最良の形態】
【００１１】
以下、本発明の最良の形態を、図面に基づいて詳細に説明する。ここでは、遊技機としてパチンコ遊技機（以下、単に「パチンコ機」という）を挙げる。
【００１２】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１３】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１４】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００１５】
また、内枠１２は、その最下部に下皿ユニット１３を有し、内枠１２の左側の上下方向の開閉軸線を軸心にして開閉自在に取り付けられた前面枠セット１４と、樹脂ベース２５（図６参照）と、この樹脂ベース２５の後側に取り付けられる後述の遊技盤３０とを備えている。これらの各構成を以下に詳細に説明する。
【００１６】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１７】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００１８】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００１９】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２０】
次に、図４および図５を用いて遊技盤３０の構成を説明する。図４は遊技盤３０の構成を示す正面図、図５は遊技盤３０の構成を示す斜視図である。遊技盤３０は、一般入賞口を備える一般入賞装置３１、可変入賞装置３２、上始動口３３ａと下始動口３３ｂ（作動チャッカ３３ｂで構成）とから成る第１の始動入賞装置３３、第２の始動口を備える第２の始動入賞装置３４（スルーゲートで構成）、特別図柄表示装置３７１Ａ、普通図柄表示装置３７１Ｂ、装飾図柄表示装置４２を備える可変表示装置ユニット３５等が設けられている。これらの一般入賞装置３１、可変入賞装置３２、第１の始動入賞装置３３、第２の始動入賞装置３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入口には、一対の開閉羽根６０が設けられており、遊技球を案内する開放位置と、下始動口３３ｂ内に遊技球が入りにくくなる閉塞位置を採りうる。開閉羽根６０は、遊技盤３０の裏面側に配設されたソレノイドＳＬ１によって駆動される。また、下始動口３３ｂの下方には、大入賞口（収容部の入口）６１が配置されている。大入賞口６１については、後に言及する。大入賞口６１内には、入球検出スイッチＳＷ１が設けられている。
【００２１】
前述の一般入賞装置３１、可変入賞装置３２および第１の始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２２】
上記特別図柄表示装置は、第１の始動入賞装置３３への入賞をトリガとして識別情報としての特別図柄を変動表示し、上記装飾図柄表示装置４２は特別図柄の変動表示に対応した装飾図柄を変動表示し、上記普通図柄表示装置は第２の始動入賞装置３４の通過をトリガとして普通図柄を変動表示する。
【００２３】
上記特別図柄表示装置は、後にも言及する表示装置３７１Ａにおける第１表示部の９個のＬＥＤセグメントで構成されており、後述する主制御装置２６１により表示内容が制御される。
【００２４】
上記装飾図柄表示装置４２は液晶表示装置として構成されており、後述する表示制御装置により表示内容が制御される。装飾図柄表示装置４２には、例えば上、中、及び下の３箇所に識別情報としての図柄が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。
【００２５】
上記普通図柄表示装置は、後述する表示装置３７１Ｂ内に配置された普通図柄用の２個のランプ（以下、第１ランプおよび第２ランプとも称す）を備えている。この実施例では、普通図柄用の第１ランプは、その外観形状は「○」形状となっている一方、第２ランプは、第１ランプの右側に隣接して設けられ、その外観形状は「×」形状となっている。普通図柄表示装置は、遊技球が第２の始動入賞装置３４を通過する毎に例えば第１および第２ランプによる表示図柄（普通図柄）が変動し、具体的には、第１および第２ランプが交互に光り、第１ランプで停止した場合に第１の始動入賞装置３３の下始動口３３ｂが所定時間だけ作動状態となる（開放される）よう構成されている。遊技球が第２の始動入賞装置３４を通過した回数は最大４回まで保留され、その保留回数が保留ランプ８０１ａにて点灯表示されるようになっている。なお、第１および第２ランプは、装飾図柄表示装置４２の一部で変動表示される複数個の表示部としても良い。
【００２６】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。遊技球が第１の始動入賞装置３３を通過した回数は最大４回まで保留され、その保留回数が保留ランプ８００ａにて点灯表示されるようになっている。なお、保留ランプ８００ａは、装飾図柄表示装置４２の一部で変動表示される構成等であっても良い。
【００２７】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２８】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００２９】
尚、遊技領域は、レールユニット５０の内周部（内外レール）により略円形状に区画形成されており、特に本形態では、遊技盤３０の盤面上に区画される遊技領城が従来よりもはるかに大きく構成されている。
【００３０】
（パチンコ機の背面構成）
次に、パチンコ機１０の背面の構成を説明する。図６はパチンコ機１０の背面の構成を示す分解斜視図である。
【００３１】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３２】
また、払出機構および保護カバーも上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３３】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３４】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３５】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３６】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３７】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３８】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００３９】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００４０】
裏パックユニット２０３は、樹脂成形された裏パック３５１と遊技球の払出機構部３５２とを一体化したものである。
【００４１】
裏パック３５１は例えばＡＢＳ樹脂により成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）を囲むのに十分な大きさを有する（但し本形態では、前述のサブ制御基板も合わせて囲む構成となっている）。保護カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４２】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４３】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４４】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４５】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４６】
（パチンコ機の電気的構成及び各種制御処理）
次に、図９を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４７】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４８】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００４９】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００５０】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、特別図柄表示装置、普通図柄表示装置、特別図柄保留表示装置８００、普通図柄保留表示装置８０１や、その他図示しないスイッチ群などが接続されている。なお、特別図柄表示装置は上記したように９個のＬＥＤセグメントで構成されており、普通図柄表示装置は上記したように普通図柄用の第１および第２ランプで構成されており、特別図柄保留表示装置８００は上記したように特別図柄に関する保留球の個数を表示する保留ランプ８００ａで構成されており、普通図柄保留表示装置８０１は上記したように普通図柄に関する保留球の個数を表示する保留ランプ８０１ａで構成されている。
【００５１】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５２】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５３】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５４】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５５】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５６】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５７】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５８】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００５９】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００６０】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６１】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６２】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６３】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６４】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６５】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として特別図柄表示装置で表示される特別図柄と、装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６６】
先ず、特別図柄表示装置の表示内容について説明する。特別図柄の変動表示は、９個のＬＥＤセグメントの点灯パターンの変化により表現される。この特別図柄の変動表示は遊技球の始動入賞装置３３への入賞に基づいて開始され、一定時間後に特別図柄の変動表示が同時に停止する。その停止後に、大当たりを示す点灯パターンあるいは外れを示す点灯パターンが表示され、外れの場合は、始動入賞装置３３への入賞に基づいて再度の変動表示が行われる。遊技球が始動入賞装置３３に入賞した回数は最大４回まで保留され、その保留回数が特別図柄保留表示装置８００の保留ランプ８００ａにて点灯表示されるようになっている。
【００６７】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。
【００６８】
次いで、普通図柄表示装置の表示内容について説明する。普通図柄の変動表示は、第１ランプ（外観が○形状）と、第２ランプ（外観が×形状）とが交互に点灯することにより表現される。この普通図柄の変動表示は遊技球が第２の始動入賞装置３４を通過することを条件として開始され、一定時間後に普通図柄の変動表示が停止する。そして、第１ランプで停止した場合に第１の始動入賞装置３３が所定時間だけ作動状態となる（開放される）よう構成されている。遊技球が第２の始動入賞装置３４を通過した回数は最大４回まで保留され、その保留回数が普通図柄保留表示装置８０１の保留ランプ８０１ａにて点灯表示されるようになっている。
【００６９】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７０】
ここで、変動パターンとは、変動表示の特徴が共通するものを区分した場合における各パターン（形態）を意味している。
【００７１】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７２】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７３】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７４】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７５】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００７６】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７７】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００７８】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００７９】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８０】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８１】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８２】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、第２の始動入賞装置３４への遊技球の通過に合わせて、当たり乱数カウンタＣ４の値が格納される。
【００８３】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が第２の始動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８４】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８５】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８６】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８７】
そして、前記遊技盤３０の遊技領域に、窓部１０１と遊技盤３０との間の流下空間を流下する遊技球を入球させる始動入賞装置３３（３３ａ及び３３ｂ：図４および図５参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００８８】
（特徴構成）
上記パチンコ機１０においては、前述の通り、遊技を制御する主制御基板が内部に収容され、第１制御基板ユニット２０１としてユニット化された第１制御基板ボックス２０１Ａが、係合機構を介して遊技盤３０の裏面側に取り付けられている。以下、この第１制御基板ボックス２０１Ａおよびその取付構造を記述する。
【００８９】
第１制御基板ボックス２０１Ａは、図１１ないし図１５に示すように、外形が概略直方体状であって、より具体的には概略横長の長方形の正面形状を有し前後方向にやや厚みを有する概略平板状に閉塞されたケースであり、制御基板の表面側を覆うボックスカバー７１と、制御基板の裏面側を覆うボックスベース７２とから構成され、したがって、後述する破断ネジ挿通部８４Ｆ、矩形状突起部８５１等の突起部を除き、ボックスカバー７１のほぼ全体が表面側被覆領域を形成し、ボックスベース７２のほぼ全体が裏面側被覆領域を形成している。上記ボックスカバー７１およびボックスベース７２は第１ケースおよび第２ケースに相当するものであるが、ボックスカバー７１およびボックスベース７２のうちいずれを第１ケースとしいずれを第２ケースとするかは任意である。該第１制御基板ボックス２０２Ａは、第１ケース即ちボックスカバー７１と第２ケース即ちボックスベース７２とをつき合わせた状態で内部に制御基板が収容される構成となっている。
【００９０】
上記ボックスカバー７１およびボックスベース７２は、図１６にも示すように、それぞれ透明樹脂を概略横長の長方形状に成形してなり、ボックスカバー７１は、やや厚みを有して内部に収容スペースが形成され一方面側が開放されたカバーとなっており、ボックスベース７２は該ボックスカバー７１の開放側を覆う平板状の部材となっている。
【００９１】
図１６および図１７に示すように、上記ボックスカバー７１の上端縁および下端縁には、ボックスベース７２へ向けて垂直に延出する鉤状片７３が、上下各８個ずつ長さ方向に間隔をおいて配列されている。該鉤状片７３は、ボックスカバー７１の天板および底板からそれぞれボックスベース７２へ向けて垂直に延出し、先端側で直角に図１６および図１７における左方に延びて、平面視鉤形状（Ｌ字形状）をなすようにボックスカバー７１に一体成形されている。ボックスベース７２の上端縁および下端縁には、上記ボックスカバー７１の鉤状片７３に対応する位置にそれぞれ係合スロット７４が設けられている。該係合スロット７４は、ボックスベース７２の天板部および底板部のそれぞれにおけるボックスカバー７１側端縁から、鉤状片７３の全幅Ｗ１より僅かに広い幅Ｗ２をもって内側に陥入し、その内奥側で直角に左方に延びて、平面視鉤形状（Ｌ字形状）をなす空洞部となっている。なお、ボックスベース７２の天板部および底板部において、ボックスカバー７１の上下各８個の鉤状片７３のうちの図１６および図１７における右端に形成された上下１組の鉤状片７３に対応する位置には、上記係合スロット７４の左方に延びる先端部に相当する部分のみが形成され、この部分の右端はボックスベース７２の右端に位置していて、これよりも右方は外部空間となっている（図示せず）。また、図１６では、係合スロット７４が露出して図示されるように天板７２Ｔが分解して示されているが、該天板７２Ｔは実際にはボックスベース７２の天板部に溶着して一体化（または一体成形）されており、したがって係合スロット７４の外側面部（上壁部）は該天板７２Ｔにより閉塞されている。
【００９２】
上記ボックスカバー７１は、図中の矢印Ａ１に示すように鉤状片７３をボックスベース７２の係合スロット７４にそれぞれ奥まで挿入するようにして、図１８ないし図２０に示すようにボックスベース７２に重合され、ついで図中の矢印Ａ２に示すようにボックスカバー７１をボックスベース７２に対し図１８ないし図２０における左方へ（またはボックスベース７２をボックスカバー７１に対し図１８ないし図２０における右方へ）即ちボックスカバー７１およびボックスベース７２の左右両端が揃うよう互いに寄せ合うようにスライドさせて図２１および図２２に示すように鉤状片７３を係合スロット７４に係合させ、これにより図２１ないし図２３に示すように第１制御基板ボックス２０１Ａが閉塞される。
【００９３】
第１制御基板ボックス２０１Ａの一方側端縁部（図１６、図２５および図２６における左側端縁部）は、封印金具７５Ｆ、７５Ｓにより封印されるようになっている。ボックスベース７２の一方側端縁部（図２５および図２６における左側端縁部）には、図２５ないし図２６に示すように、該一方側端縁よりも若干内側寄りの位置に、該一方側端縁に平行に上下に延びる２条のリブ（突条）７２Ｒ、７２Ｌが設けられ、これにより、両リブ７２Ｒ、７２Ｌの間に、図２５および図２６における下側であるボックスカバー７１側から、図２５および図２６における上側である他方側へ向かって凹入する溝部が形成されている。
【００９４】
上記リブ７２Ｒ、７２Ｌ間の溝部には、１枚の金属板を該溝部の内面形状に沿って断面略コ字形状に折曲され、該溝部にほぼ等しい長さを有する受け金具７６が嵌装され、中央部に突設されネジ挿通孔が穿設された突片（図示せず）で後述するようにネジにより固定されるようになっている。該受け金具７６の一方側端縁はさらに延出して、前記２条のリブ７２Ｒ、７２Ｌのうちの内側（図２５および図２６における右側）のリブ７２Ｒの先端に沿って該リブ７２Ｒの外側面までを覆うように折曲されている。該受け金具７６には、長さ方向に距離をおいた４箇所にそれぞれ係合片７６Ｅが形成されている。該係合片７６Ｅは、受け金具７６における内側のリブ７２Ｒの内面に当接する片に、図２５および図２６における下側であるボックスカバー７１側から、図２５および図２６における上側である他方側へ向かって延びてコ字状に折り返す形状に切込みを入れ、該切込みの内側部分を溝部内にむけてやや傾斜するように引き起こして形成されている。
【００９５】
上記受け金具７６が嵌装されたリブ７２Ｒ、７２Ｌは、図１６に示すように被覆部材７７が取り付けられて覆われるようになっている。該被覆部材７７は、リブ７２Ｒ、７２Ｌにほぼ等しい長さを有する樹脂製の部材であり、図２５ないし図２６にも示すように、図２５および図２６における下側であるボックスカバー７１側から、受け金具７６が嵌装されたリブ７２Ｒ、７２Ｌをほぼ覆う断面概略コ字形状の溝部を有している。該被覆部材７７において前記受け金具７６の係合片７６Ｅに対応する４箇所には、封印金具７５Ｆ、７５Ｓの幅より若干大きい長さを有するスリット状の金具挿通孔７７Ｐがそれぞれ穿設され、各金具挿通孔７７Ｐを上側、下側および外側（図２５および図２６における左側）の三方から平面視略コ字形状をなして包囲する周壁７７Ｆがそれぞれ形成されている。該周壁７７Ｆは、後述するボックスカバー７１の金具挿通部７８Ｆ、７８Ｓを収容し得るものとなっている。該被覆部材７７の中央部には図１６に示すようにネジ挿通部７７Ｓが形成され、前記内側のリブ７２Ｒの中央部には内部にネジ穴を有する螺入部（図示せず）が一体的に形成されており、該ネジ挿通部７７Ｓおよび螺入部には、間に前記受け金具７６の突片を介在させた状態でネジ（破断ネジでもよい）が螺入され、これにより被覆部材７７および受け金具７６が、前記リブ７２Ｒ、７２Ｌ上に固定されるようになっている。
【００９６】
ボックスカバー７１の一方側端縁部（図２４における左側端縁部）には、図２４に示すように、上記被覆部材７７の４箇所の金具挿通孔７７Ｐに対応する４箇所に、それぞれ金具挿通部７８Ｆ、７８Ｓが設けられている。該４箇所の金具挿通部７８Ｆ、７８Ｓのうち、上端および下端の２箇所の金具挿通部（以下、両端金具挿通部とも称す）７８Ｆは、ボックスカバー７１の一方側端面（図２４における左側端面）に、正面視概略コ字形状をなす周壁により上側面、下側面および外側面（図２４における左側面）の三面が構成された直方体状の外形をなして突出するように一体成形され、その先端面（図２４における左側面）よりやや内側に該先端面に平行な仕切壁が形成されて、これにより該先端面と仕切壁との間に、前後方向に貫通し封印金具７５Ｆの幅より若干大きい上下長を有する正面視縦長の貫通部７８１Ｆが形成されている。上記両端金具挿通部７８Ｆの間の２箇所の金具挿通部（以下、中央金具挿通部とも称す）７８Ｓは、上記両端金具挿通部７８Ｆとほぼ同様に、正面視概略コ字形状をなす周壁により概略直方体状の外形をなして突出するようにボックスカバー７１の一方側端面（図２４における左側端面）に一体成形され、そのボックスベース７２側（図２４における後側）端面部は奥側壁が形成されてほぼ閉塞されているが、該奥側壁の先端部（図２４における左端部）には、封印金具７５Ｓの幅より若干大きい長さを有するスリット状の金具挿通孔が穿設されている（図示せず）。上記中央金具挿通部７８Ｓの先端面（図２４における左側面）を構成する先端面壁には、ボックスベース７２側端縁（図２４における後側端縁）から中央辺りまで並行して水平に延びる２条の切り込みが形成され、両切り込みの間に弾性片７８１Ｓが形成されている。該弾性片７８１Ｓの内側面における先端近傍には、図２５に示すように、先端側およびその反対側の両側で先細りする台形状の断面形状をなして突出する係合突起７８２Ｓが形成されている。このように係合突起７８２Ｓが両側をテーパ状に形成されていることにより、後述するように中央封印金具７５Ｓの係合孔７５１Ｓへ出入することが容易となっている。また特に、後述するように中央封印金具７５Ｓを仮固定する場合には、該弾性片７８１Ｓが容易に外側へ弾性変形して中央封印金具７５Ｓを受容することができる一方、該中央封印金具７５Ｓをさらに奥へ押し込んで封印する場合には、該弾性片７８１Ｓが前記被覆部材７７の周壁７７Ｆに抵触するため、中央封印金具７５Ｓを強く押し込まないと外側へ弾性変形することができないようになっており、これにより、不用意に封印操作がなされないようになっている。なお、このように中央封印金具７５Ｓを押し込み難くするには、前記弾性片７８１Ｓの係合突起７８２Ｓにおけるテーパ面の勾配を変えるようにしてもよい。上記中央金具挿通部７８Ｓの内部におけるボックスカバー７１の一方側端面（図２４における左側端面）には、図２４に示すように、水平に延びる案内リブ７８３Ｓが一体的に形成されている。
【００９７】
上記両端金具挿通部７８Ｆと中央金具挿通部７８Ｓとの間には、架橋片８１が一体成形により架設されている。また、２箇所の中央金具挿通部７８Ｓの間の位置においては、側面視コ字形状をなして延出し上下端がステーにより補強された形状を有する蓋部８３がボックスカバー７１の一方側端面（図２４における左側端面）に一体成形されており、前述のようにして第１制御基板ボックス２０１Ａが閉塞された状態では、この蓋部８３が前記被覆部材７７のネジ挿通部７７Ｓを上方、下方および後方（図２４における前方）から包囲するように覆い、これにより外部からネジ挿通部７７Ｓのネジを取り外すことができないようになっている。
【００９８】
前述のようにして第１制御基板ボックス２０１Ａが閉塞された後、上記両端金具挿通部７８Ｆから封印金具（以下、両端封印金具とも称す）７５Ｆが挿入され、これにより第１制御基板ボックス２０１Ａの一方側端縁部（図２６における左側端縁部）が封印される。該両端封印金具７５Ｆは、長方形の片状の金属板よりなり、一方端部には図２６に示す矩形状の係合孔７５１Ｆが穿設されている。図２６に示すように、第１制御基板ボックス２０１Ａが閉塞された状態で、該係合孔７５１Ｆ形成側から該両端封印金具７５Ｆを両端金具挿通部７８Ｆの貫通部７８１Ｆに挿通し、さらに被覆部材７７の金具挿通孔７７Ｐも挿通して、ボックスベース７２におけるリブ７２Ｒ、７２Ｌ間の溝部の内奥まで進入させると、受け金具７６の係合片７６Ｅが係合孔７５１Ｆ内に係合して両端封印金具７５Ｆが引き出せない状態となり、これにより、該封印金具７５Ｆがかんぬきのように機能する体勢に保持され、ボックスカバー７１とボックスベース７２とを互いにずらすようにスライドさせて鉤状片７３と係合スロット７４との係合状態を解除することが不可となって、第１制御基板ボックス２０１Ａが封印されることとなる。
【００９９】
上記のようにして両端金具挿通部７８Ｆの位置で両端封印金具７５Ｆにより封印がなされるが、この段階では中央金具挿通部７８Ｓの位置では封印がなされず、両端金具挿通部７８Ｆにおける封印状態が解除された後に再び封印がなされる段階で中央金具挿通部７８Ｓの位置で封印がなされる。即ち、両端金具挿通部７８Ｆは初回の封印に使用され、中央金具挿通部７８Ｓは２回目の封印に使用される。なお、図１６ないし図２６では、初回の封印が解除された後に再び第１制御基板ボックス２０１Ａが閉塞されて封印がなされるまでの状況が示されており、このため同図においては、両端金具挿通部７８Ｆはボックスカバー７１から分離され、ボックスベース７２側に残留した状態となっている（分離操作については後述）。
【０１００】
２回目の封印を行う際には、中央金具挿通部７８Ｓから封印金具（以下、中央封印金具とも称す）７５Ｓが挿入され、これにより第１制御基板ボックス２０１Ａの一方側端縁部（図１６ないし図２６における左側端縁部）が再び封印される。
【０１０１】
該中央封印金具７５Ｓは、図１６および図２５に示すように、前記両端封印金具７５Ｆと基本的に同様の構成を有する金具となっており、一方端部に矩形状の係合孔７５１Ｓが穿設されているが、他方端部が直角に折曲されて押圧片７５２Ｓが形成されている点で異なる。押圧片７５２Ｓの先端縁には切欠７５３Ｓが形成されている。該中央封印金具７５Ｓは、押圧片７５２Ｓを内側（図１６および図２５における右側）に向けて、係合孔７５１Ｓ形成側から中央金具挿通部７８Ｓに挿入され、ほぼ全体が中央金具挿通部７８Ｓ内に収容されると、図２５（ａ）に示すように、前記弾性片７８１Ｓの係合突起７８２Ｓが係合孔７５１Ｓ内に係合し、これにより該中央封印金具７５Ｓがこの位置に仮固定される。この位置では、中央封印金具７５Ｓはボックスカバー７１側のみにあってボックスベース７２側には到達しておらず、したがって第１制御基板ボックス２０１Ａは封印されておらず自在に開閉可能な状態にある。即ち、中央封印金具７５Ｓは、これを用いる以前の段階から予めボックスカバー７１に仮固定して装着しておくことができるようになっている。
【０１０２】
図２１に示すように、第１制御基板ボックス２０１Ａが閉塞された状態で、図中の矢印Ａ３で示すように中央封印金具７５Ｓの押圧片７５２Ｓを中央金具挿通部７８Ｓ内へ押し込むと、この押圧力により弾性片７８１Ｓを外側へ弾性変形させ係合突起７８２Ｓを係合孔７５１Ｓから押し出して係合状態を解除し、一方、押圧片７５２Ｓの切欠７５３Ｓが中央金具挿通部７８Ｓ内の案内リブ７８３Ｓに嵌合してこれに沿って案内されながら、中央封印金具７５Ｓが中央金具挿通部７８Ｓ内をボックスベース７２側へ陥入していく。図２５（ｂ）に示すように、中央封印金具７５Ｓの先端部が被覆部材７７の金具挿通孔７７Ｐに挿通され、ボックスベース７２におけるリブ７２Ｒ、７２Ｌ間の溝部の内奥まで進入すると、前述の両端封印金具７５Ｆの場合と同様に、受け金具７６の係合片７６Ｅが係合孔７５１Ｓ内に係合して封印金具７５Ｓが引き出せない状態となり、これにより、該封印金具７５Ｓがかんぬきのように機能する体勢に保持され、ボックスカバー７１とボックスベース７２とを互いにずらすようにスライドさせて鉤状片７３と係合スロット７４との係合状態を解除することが不可となって、第１制御基板ボックス２０１Ａが再び封印されることとなる。
【０１０３】
上記第１制御基板ボックス２０１Ａにおける金具挿通部７８Ｆ、７８Ｓ形成側端縁部（図１１、図１２および図１５における左側端縁部）と反対側の端縁部（図１１、図１２および図１５における右側端縁部）は、後述する破断ネジにより封印されるようになっている。ボックスカバー７１における金具挿通部７８Ｆ、７８Ｓ形成側端縁部（図１１、図１２および図１５における左側端縁部）と反対側の端縁部（図１１、図１２および図１５における右側端縁部）の上端部および下端部には、図１１、図１２および図１５に示すように、それぞれ破断ネジ挿通部８４Ｆが設けられている。該破断ネジ挿通部８４Ｆは、図１２に示すように、ボックスカバー７１の一方側端面（図１２における右側端面）から外側（図１２における右側）へ正面視Ｕ字形状をなすように先端で丸く折り返すように延出した周壁８４１の奥側端縁（図１２における後側端縁）よりやや内側の位置に奥壁を設け、該周壁８４１内の空間を前後に２分して該奥壁より外側（図１２における後側）を嵌合部とし（図示せず）、該奥壁より内側（図１２における前側）の空間における先端（図１２における右側端）より内側に仕切壁８４２を設け、該仕切壁８４２より先端側をネジ収容部８４３、反対側を破断部８４４とした構成となっている。上記ネジ収容部８４３における奥壁には図１５に示すようにネジ挿通孔８４５が穿設されている。ボックスベース７２の一方側端縁（図１２における右側端縁）には、上記上下の破断ネジ挿通部８４Ｆに対応する位置に、螺入部８５Ｆがそれぞれ設けられている。該螺入部８５Ｆは、ボックスベース７２の一方側端面（図１２における右側端面）から外側（図１２における右側）へ正面視コ字形状をなして折り返すように延出した延出部の先端部に、前後方向に延び内部にネジ孔が設けられた円筒形状部が一体的に形成された構成となっている。
【０１０４】
破断ネジは、螺合させて締結（本締め）するのに必要な程度のトルクで回転させて締結した後、さらに大きい所定の高トルクで回転させると破断する破断部を備えるネジであり、具体的には例えば図１０に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【０１０５】
前述のようにして鉤状片７３を係合スロット７４に挿入するようにしてボックスカバー７１をボックスベース７２に重合すると、上記ボックスベース７２の螺入部８５Ｆがボックスカバー７１における破断ネジ挿通部８４Ｆの嵌合部内における破断部８４４に対応する位置に入り込んで嵌合し、ついでボックスカバー７１およびボックスベース７２の左右両端が揃うよう互いに寄せ合うようにスライドさせて鉤状片７３を係合スロット７４に係合させると、螺入部８５Ｆが破断ネジ挿通部８４Ｆの嵌合部内で先端側へスライド移動してネジ収容部８４３に対応する位置にくる。この状態で、破断ネジ挿通部８４Ｆのネジ収容部８４３から破断ネジを挿入して螺入部８５Ｆに螺入させ、該破断ネジの頭部を破断させることにより、第１制御基板ボックス２０１Ａにおける金具挿通部７８Ｆ、７８Ｓ形成側端縁部（図１１、図１２および図１５における左側端縁部）と反対側の端縁部（図１１、図１２および図１５における右側端縁部）が封印される。
【０１０６】
また、上記第１制御基板ボックス２０１Ａにおける上記破断ネジ挿通部８４Ｆ形成側端縁部（図１１、図１２および図１５における右側端縁部）は、外部との電波の送受信を行うように構成されたシール（封印シール）６０１によっても封印されるようになっている。第１制御基板ボックス２０１Ａにおける当該端縁部（図１１、図１２および図１５における右側端縁部）には、矩形状突起部８５１が設けられており、該矩形状突起部８５１は、第１制御基板ボックス２０１Ａのボックスカバー７１およびボックスベース７２の右側端縁部分に、互いに合同な縦長の長方形状を有する突起片をそれぞれ右方へ突出するように形成しておき、ボックスカバー７１にボックスベース７２を嵌着するとともにこれら突起片を重合させるようにすることによって構成されている。封印シール６０１は、横断面コの字形状をなすように折り曲げた状態で、前記ボックスカバー７１およびボックスベース７２の両突起片を跨ぐようにして貼付されている。
【０１０７】
封印シール６０１は、図２９および図３０に示すように、前記第１制御基板ボックス２０１Ａの矩形状突起部８５１の上下面を除く３面を折り曲げ状態でほぼ全面的に覆い得る長方形状の平面形状を有し、図２８に示すように、基材層６０２、粘着材層６０３および剥離紙６０４を積層して構成され、粘着材層６０３上にはＩＣタグユニット６０５が配置されている。
【０１０８】
基材層６０２は、ポリエステルフィルム等の樹脂フィルムよりなり、封印シール６０１を剥がす力に伴う応力によって一部が破壊される程度の適度な脆性を有するとともに、粘着材層６０３を構成する粘着剤に対する溶解性を有するトルエン等の有機溶剤や粘着剤層の粘着力が低下する温度（例えば５０℃以上）の熱により変色するものとなっている。これにより、第１制御基板ボックス２０１Ａの矩形状突起部８５１から封印シール６０１を不正に剥がすことを意図して溶剤をかけたり熱を加えたりすると、基材層６０２が変色して不正行為の痕跡が残るようになっている。
【０１０９】
粘着剤層６０３を構成する粘着剤は、一旦貼付した後に剥がされると基材層６０２から剥がれる程度の粘着力を有している。よって、封印シール６０１が剥がされた場合には再度貼付することが困難であり、さらに粘着剤層６０３の一部が被着体側に残存することとなる。これにより、封印シール６０１を不正に剥がした場合に痕跡を残すことができる。
【０１１０】
ＩＣタグユニット６０５は、ＩＣチップ６０５ａおよびアンテナ６０５ｂより構成されており、帯状に延びる長尺状のアンテナ６０５ｂの中央付近にＩＣチップ６０５ａが配置されている。ＩＣチップ６０５ａは集積回路として形成されるものであり、制御部およびメモリー領域を有する。メモリー領域には、識別データとしてのＩＤ情報が格納されている。アンテナ６０５ｂは、アルミ等の金属薄層で形成されており、その厚みはＩＣチップ６０５ａの厚みよりも薄い。また、アンテナ６０５ｂは、共振周波数が２．４５ＧＨｚ等の一定周波数となるようにアンテナパターンとして作製されている。
【０１１１】
ＩＣチップ６０５ａのメモリー領域に格納されたＩＤ情報は、制御部により呼び出されてアンテナ６０５ｂから発信し得るように構成されており、アンテナ６０５ｂから発信されたＩＤ情報をリーダー／ライターとして形成されるスキャナーで受信して読み取ることができるようになっている。詳細には、スキャナーから前記周波数の微弱な電波で呼び出しが行われ、この電波で誘導電磁界が形成される。この誘導電磁界内にアンテナ６０５ｂが位置する程度に、スキャナーをアンテナ６０５ｂに近接させると、アンテナ６０５ｂに電磁誘導により起電力が発生する。ＩＣチップ６０５ａではこの起電力を電源として、メモリー領域に格納されているＩＤ情報が制御部で呼び出されてアンテナ６０５ｂから送信され、このように発信されたＩＤ情報をスキャナーで受信して読み取ることができるようになっている。
【０１１２】
ＩＣタグユニット６０５（アンテナ６０５ｂ）は、図３０に示すように、粘着剤層６０３が形成された基材層６０２に対し、当該基材層６０２の一隅部側からその対角方向の隅部側に亘って斜めに配置されている。詳細には、アンテナ６０５ｂは基材層６０２の対角線上にはなく、アンテナ６０５ｂの長手方向が基材層６０２の両対角線と交差している。この場合、長尺状のアンテナ６０５ｂはその長手方向が基材層６０２のすべての辺方向と交差することとなる。そして、前記矩形状突起部８５１を構成する両突起片に跨って封印シール６０１が貼付されているのに伴って、アンテナ６０５ｂも両突起片に跨っている。
【０１１３】
また、封印シール６０１には、アンテナ６０５ｂの長手方向に沿って多数のアンテナ用切り込み６０６が等間隔に並置するようにして形成されている。アンテナ用切り込み６０６は、アンテナ６０５ｂの長手方向に対して略直交する方向に延びる直線状であり、基材層６０２の表面側から粘着剤層６０３の背面側まで貫通している（なお、図２９ではアンテナ用切り込み６０６は図示省略している）。ちなみに、アンテナ用切り込み６０６が延びる方向は、アンテナ６０５ｂの長手方向に対して略直交する方向であるため、基材層６０２のすべての辺方向と交差している。また、アンテナ用切り込み６０６は、アンテナ６０５ｂに若干掛かる構成となっている。この場合に、アンテナ６０５ｂはアンテナ用切り込み６０６により分断されていないため、ＩＤ情報の送信に関して弊害は生じない。また、アンテナ用切り込み６０６がアンテナ６０５ｂを挟んで直線状に並ばないように、アンテナ６０５ｂの一側に位置するアンテナ用切り込み６０６と他側に位置するアンテナ用切り込み６０６とはずらして形成されている。詳細には、アンテナ６０５ｂの一側に位置するアンテナ用切り込み６０６と他側に位置するアンテナ用切り込み６０６とは、アンテナ６０５ｂの長手方向に沿って交互に並ぶように形成されている。
【０１１４】
上記封印シール６０１を第１制御基板ボックス２０１Ａの矩形状突起部８５１から剥がそうとする場合、できるだけ該封印シール６０１を損なわないようにするには、剥がす力に伴う応力が、基材層６０２の隅角に対して局所的に集中したり封印シール６０１の折り曲げ部分に集中したりしないように、封印シール６０１の短辺に沿う方向に剥がすことが必要となるが、この方向はアンテナ６０５ｂの延びる方向に対して交差する方向である。従って、剥がす力に伴う応力がアンテナ６０５ｂの周囲に位置するアンテナ用切り込み６０６の端部に集中することで、アンテナ用切り込み６０６を端緒とする断裂が生じて基材層６０２が破壊され、これに伴いアンテナ６０５ｂが分断されることとなる。アンテナ６０５ｂが分断されるとＩＤ情報がアンテナ６０５ｂから送信されなくなるので、ＩＤ情報をスキャナーで読み取ることができなくなる。よって、封印シール６０１を第１制御基板ボックス２０１Ａの矩形状突起部８５１からできる限りきれいに剥がして第１制御基板ボックス２０１Ａを開封し、制御基板８０に対して不正を行った後に、第１制御基板ボックス２０１Ａを封印すべく封印シール６０１を再度きれいに原状に復すように貼ったとしても、当該不正行為を容易に発見することができる。
【０１１５】
封印シール６０１の４隅には、基材層６０２の表面側から粘着剤層６０３の背面側まで貫通する隅部切り込み６０７がそれぞれ形成されている。詳細には、隅部切り込み６０７は、封印シール６０１の隅角の内側にて当該隅角に沿うようにしてＬ字状に形成されている。よって、封印シール６０１がその一辺に沿う方向に剥がされるのではなく隅角側から（即ち封印シール６０１の辺に対し斜方向に）剥がされたとしても、隅部切り込み６０７から封印シール６０１に破壊が生じることとなる。これにより、不正行為の痕跡を残すことができる。
【０１１６】
封印シール６０１の外縁には、図２９に示すように、外側端部から内側に向けて多数の外縁切り込み６０８が形成されている。これら外縁切り込み６０８は、内側から外側に向けて開く鋭角のＶ字状となっており、さらに封印シール６０１の外周に沿う方向に等間隔で形成されている。従って、第１制御基板ボックス２０１Ａの矩形状突起部８５１から封印シール６０１を剥がそうとすると、この剥がす力に伴う応力が外縁切り込み６０８の内側端部に集中して封印シール６０１に破れなどといった破壊が生じる。これにより、封印シール６０１が剥がされたことの痕跡を残すことができ、制御基板８０に対して不正行為が行われたことを容易に発見することができる。
【０１１７】
ただし、上記のように外縁切り込み６０８が形成された構成においては、封印シール６０１の一辺全体からその辺に直交する方向に沿って封印シール６０１が剥がされると封印シール６０１の破壊が生じ難い。即ち、封印シール６０１をその角から剥がす場合や、封印シール６０１の外縁における隣り合う外縁切り込み６０８間を摘んで剥がす場合などは、剥がす力に伴う応力が少数の外縁切り込み６０８の内側端部に集中するため、外縁切り込み６０８を介した封印シール６０１の破壊が生じ易いのに対し、矩形状の封印シール６０１の一辺全体からその辺に直交する方向に沿って剥がす場合には、剥がす力に伴う応力が多数の外縁切り込み６０８の内側端部に分散されるため、外縁切り込み６０８を介した封印シール６０１の破壊が生じ難い。よって、後者の方式で封印シール６０１が剥がされると、外縁切り込み６０８では不正の痕跡が残らない場合がある。ところが、前述したように、アンテナ６０５ｂが封印シール６０１の一隅部側からその対角方向の隅部側に亘って延びるようにして斜めに配置されているので、封印シール６０１の一辺全体からその辺に直交する方向に沿って封印シール６０１が剥がされたとしてもアンテナ６０５ｂが分断されることとなる。これにより、不正行為を容易に発見することができる。
【０１１８】
基材層６０２の表面には、図２９に示すように、インク塗布部６０９、識別情報部６１０および機種情報部６１１が設けられている。インク塗布部６０９には、紫外線等の特定の波長の光が照射されることにより模様が表れる特殊インクが塗布されている。識別情報部６１０には、複数の数字が記載されており、当該識別情報部６１０に記載される数字は遊技機毎に異なっている。この場合に、識別情報部６１０に記載される数字はＩＣチップ６０５ａに格納されているＩＤ情報と対応づけて設定されている。例えば、ＩＤ情報が数字で登録されている場合には、ＩＤ情報の数字と識別情報部６１０に記載された数字との和が、遊技ホールなどに設置された複数の遊技機において同一となるように設定されている。機種情報部６１１には、当該遊技機の機種名や当該遊技機の製造メーカー名などが記載されている。
【０１１９】
ここで、封印シール６０１の図２９における上部領域Ｒ１は、図２７に示すように、ボックスカバー７１の突起片の表側面（重合面と反対側の面）に貼付することを意図して形成された領域となっている。よって、第１制御基板ボックス２０１Ａに対峙する位置からは、インク塗布部６０９および識別情報部６１０を視認することができるので、インク塗布部６０９および識別情報部６１０の確認作業を容易に行うことができる。また、封印シール６０１の図２９における中間領域Ｒ２は、図２７に示すように、ボックスカバー７１およびボックスベース７２の両突起片の突出端面（即ち矩形状突起部８５１の突出端面）に貼付することを意図して形成された領域となっている。よって、機種情報部６１１に記載された内容は第１制御基板ボックス２０１Ａを取り外すことなく確認することができる。なお、下部領域Ｒ３は、ボックスベース７２の突起片の表側面（重合面と反対側の面）に貼付することを意図して形成された領域となっている。
【０１２０】
上述のようにインク塗布部６０９および識別情報部６１０が設けられていることにより、第１制御基板ボックス２０１Ａが不正に交換された場合に、その交換がなされていることを容易に発見することができる。即ち、交換された不正用の基板ボックスが正規の第１制御基板ボックス２０１Ａと外観上区別できなかったとしても、インク塗布部６０９に特定の光を照射し模様が表れないことを確認することで交換されたことを発見することができる。また、不正用の基板ボックスのシールにＩＣタグユニットが設けられていたとしても、ＩＤ情報をスキャナーで読み取り、その情報と識別情報部６１０の情報とを確認することで交換されたことを発見することができる。
【０１２１】
上記構成によれば、制御基板８０を収容するボックスカバー７１とボックスベース７２とを跨ぐようにしてＩＣタグユニット６０５を有する封印シール６０１が貼り付けられているので、第１制御基板ボックス２０１Ａを開封するためには、矩形状突起部８５１から封印シール６０１を剥がし当該矩形状突起部８５１のネジ固定を解除する必要がある。この場合に、封印シール６０１をその隅角から剥がしていくと、剥がす力に伴う応力が基材層６０２の隅角部分に集中し、基材層６０２は適度な脆性を有しているので、基材層６０２が大きく破壊されることとなる。また、封印シール６０１の外縁には、内側から外側端部に向けて鋭角のＶ字状に開いた外縁切り込み６０８が形成されているので、封印シール６０１をその隅角から剥がしていくと、剥がす力に伴う応力が外縁切り込み６０８の内側端部（内側に尖った部位）に集中し、基材層６０２がより破壊されやすくなっている。さらに、封印シール６０１が第１制御基板ボックス２０１Ａの矩形状突起部８５１に対して略コ字状に折り曲げて貼り付けられているので、封印シール６０１をその隅角から剥がしていくと、剥がす力に伴う応力が折り曲げ部分に集中し、同様に基材層６０２が大きく破壊されることとなる。この場合、封印シール６０１が不正に剥がされたこと、即ち、制御基板８０に対して不正が行われたことの痕跡が明確に残ることとなる。よって、制御基板８０に対して不正を行おうとする者は、封印シール６０１の一辺全体からその辺に直交する方向に沿って剥がすことで、剥がす力に伴う応力を基材層６０２の一辺全体に分散させ、ベース部材が極力破壊されないようにすることとなる。ところが、アンテナ６０５ｂをその長手方向が封印シール６０１のすべての辺方向と交差するように配置する構成とすることにより、封印シール６０１をその一辺全体から剥がそうとすると、アンテナ６０５ｂの長手方向と交差する方向に破壊が生じる。そして、アンテナ６０５ｂが長尺状であり、アンテナ６０５ｂの長手方向と交差する方向の寸法は短くなっていることにより、破壊が生じた位置にてアンテナ６０５ｂが分断されることとなる。この場合、遊技ホールの管理者等がスキャナーによりＩＣチップ６０５ａに格納されたＩＤ情報を確認できなくなるため、主基板に対して不正が行われたことを容易に且つ確実に発見することができる。
【０１２２】
また、上記のとおり、アンテナ６０５ｂを基材層６０２の一隅部側からその対角方向の隅部側に亘って延びるように配置する構成とすることにより、アンテナ６０５ｂを基材層６０２の一辺に沿って設ける構成に比べ、アンテナ６０５ｂの長さ寸法が大きく確保されている。よって、封印シール６０１が剥がされた場合におけるアンテナ６０５ｂの分断が生じる機会を多く設けることができる。
【０１２３】
また、ＩＣチップ６０５ａをアンテナ６０５ｂの長手方向の略中央に配置する構成とすることにより、上記のとおりアンテナ６０５ｂが封印シール６０１の一隅部側からその対角方向の隅部側に亘って配置された構成においてはＩＣチップ６０５ａの位置は封印シール６０１の中央付近となる。よって、ＩＣチップ６０５ａの厚みに起因して封印シール６０１が剥がし易くなることを抑制することができる。即ち、ＩＣチップ６０５ａは所定の厚みを有するため、封印シール６０１におけるＩＣチップ６０５ａの周囲と第１制御基板ボックス２０１Ａの矩形状突起部８５１との間には隙間が生じることとなる。この場合に、ＩＣチップ６０５ａが封印シール６０１の外縁側にあるとその外縁と第１制御基板ボックス２０１Ａの矩形状突起部８５１との隙間に指を掛けることで封印シール６０１が剥がし易くなる。これに対して、ＩＣチップ６０５ａの位置が封印シール６０１の中央付近であることにより、ＩＣチップ６０５ａの厚みに起因して封印シール６０１の外縁と第１制御基板ボックス２０１Ａの矩形状突起部８５１との間に隙間が生じることはない。
【０１２４】
また、基材層６０２におけるアンテナ６０５ｂの周囲にアンテナ用切り込み６０６を形成する構成とすることにより、封印シール６０１が剥がされた場合にアンテナ用切り込み６０６の端部から基材層６０２が破壊されるのに伴ってアンテナ６０５ｂも破壊され、その位置にてアンテナ６０５ｂが分断されることとなる。よって、アンテナ６０５ｂが分断され易くなり、主基板に対して不正が行われた場合の発見をより確実に行うことができる。特に、アンテナ用切り込み６０６をアンテナ６０５ｂの長手方向及び基材層６０２のすべての辺方向に対して交差する方向に延びる線状の切り込みとすることにより、封印シール６０１がその一辺に沿う方向に剥がされた場合の剥がす力に伴う応力がアンテナ用切り込み６０６のアンテナ側端部に集中し易くなる。これにより、封印シール６０１がその一辺に沿う方向に剥がされた場合のアンテナ６０５ｂの分断をより確実に発生させることができる。なお、アンテナ用切り込み６０６はアンテナ６０５ｂに達する位置まで形成されているので、封印シール６０１が不正に剥がされた場合にアンテナ６０５ｂが分断され易い構成となっている。また、アンテナ用切り込み６０６がアンテナ６０５ｂを挟んで直線上に並ばないように形成されていることにより、例えば、遊技機の製造時における封印シール６０１の貼り付け作業時などといった不正と関係のない場合にアンテナ６０５ｂを挟んで位置するアンテナ用切り込み６０６が繋がりそれに伴ってアンテナ６０５ｂが分断されてしまうことを抑制することができる。
【０１２５】
また、封印シール６０１の４隅に、基材層６０２の表面側から粘着材層６０３の背面側まで貫通するＬ字状の隅部切り込み６０７をそれぞれ形成する構成とすることにより、封印シール６０１がその隅角側から剥がされた場合には、剥がす力に伴う応力が隅部切り込み６０７の端部に集中し、隅部切り込み６０７から封印シール６０１に破れなどといった破壊が生じる。よって、制御基板８０に対して不正が行われたことの痕跡が封印シール６０１に残り、当該不正が行われたことを容易に発見することができる。また、当該隅部切り込み６０７を介した封印シール６０１の破壊を回避すべく、封印シール６０１の一辺に沿う方向に当該封印シール６０１が剥がされたとしても、上記のとおりアンテナ６０５ｂの分断が生じるので不正を容易に発見することができる。
【０１２６】
なお、粘着材層６０３を構成する粘着剤に対して溶解性を示す溶剤が封印シール６０１にかけられたり塗布されたりした場合、基材層６０２が変色する構成とすることにより、溶剤により粘着材層６０３の接着力を弱めアンテナ６０５ｂを分断させることなく封印シール６０１を剥がし制御基板８０に対して不正行為が行われたとしても、当該不正行為が行われたことを容易に発見することができる。また、封印シール６０１に対して所定温度以上の熱が加えられた場合も同様に、基材層６０２が変色する構成とすることにより、所定温度以上の熱を加えることにより粘着材層６０３の接着力を弱めアンテナ６０５ｂを分断させることなく封印シール６０１を剥がし制御基板８０に対して不正行為が行われたとしても、当該不正行為が行われたことを容易に発見することができる。
【０１２７】
以上の構成により、上記第１制御基板ボックス２０１Ａは、製造段階においては、２箇所の両端金具挿通部７８Ｆ、２箇所の破断ネジ挿通部８４Ｆおよび矩形状突起部８５１の計５箇所で、それぞれ両端封印金具７５Ｆ、破断ネジおよび封印シール６０１により封印される。点検等により開封する場合には、両端金具挿通部７８Ｆを、図２３中の仮想線Ｌ１で示すように貫通部７８１Ｆより内側の周壁および架橋片８１でニッパ等により切断するとともに、破断ネジ挿通部８４Ｆを破断部８４４で切断して、それぞれボックスカバー７１から分離し、また封印シール６０１を剥離ないし破断するようにして、封印を解除する。この後、再度第１制御基板ボックス２０１Ａを封印する場合には、前述したように２箇所の中央金具挿通部７８Ｓで中央封印金具７５Ｓにより封印され、再度開封する場合には、中央金具挿通部７８Ｓを前記両端金具挿通部７８Ｆの場合と同様に切断するようにして封印を解除する。
【０１２８】
上記のように第１制御基板ボックス２０１Ａが再度封印し得る構成となっていることで、付随的な不正行為をも効果的に抑止することができる。例えば、初回の封印が解除されて第１制御基板ボックス２０１Ａ内の制御基板を不正基板に交換されたような場合、この第１制御基板ボックス２０１Ａを不正発覚により取り外した後に、不正基板を元の制御基板に戻して不正の状況が把握できないようにするといった付随的な不正行為がなされることがあるが、不正基板に交換された第１制御基板ボックス２０１Ａを再度封印するようにしておくことにより、上述のような付随的な不正行為を困難とすることができる。
【０１２９】
上記第１制御基板ボックス２０１Ａにおける金具挿通部７８Ｆ、７８Ｓ形成側端縁部（図１１および図１２における左側端縁部）には、図１１ないし図１４に示すように、係合機構の第２機構部である連結封止部８６が設けられている。該連結封止部８６は、概略縦長の直方体形状の外形を有し、図３１ないし図３３に示すように、外側ブロック８６Ｅに内側ブロック８６Ｎを装填するようにして構成されている。
【０１３０】
上記外側ブロック８６Ｅは、概略縦長の箱状に成形され、図３３に示すように一側面（遊技盤３０側面）がほぼ開放されて受入開口８６１が形成されている（以下、該受入開口８６１形成側面を後側面とする）。該受入開口８６１が形成された後側面に隣接する右側面部には、図３１および図３２に示すように、上端よりやや下方の高さ位置から下端よりやや上方の高さ位置まで上下に延び、前端から中央よりやや後方の位置まで前後に延びる概略縦長の直方体形状のネジ固定部８６２が、内外に突出するように一体的に形成されている。該ネジ固定部８６２内の空間は仕切壁が形成されて上下に４等分されるとともに、後端よりやや内側には奥壁（図示せず）が形成され、これにより、奥壁の前側に上下に４個のネジ収容部８６２Ｈが、後側に上下に４個の嵌合部（図示せず）がそれぞれ形成されている。各ネジ収容部８６２Ｈにおける奥壁にはそれぞれネジ挿通孔（図示せず）が穿設されている。該ネジ固定部８６２において外側ブロック８６Ｅの右側面より内側（左側）に陥入する部分の上壁、下壁および左側壁は、図３３に示すように外側ブロック８６Ｅの後端の位置よりも若干後方の位置まで延出し、外側ブロック８６Ｅの右側面より外側（右側）に突出する部分の上壁および下壁の後端縁は、図３２に示すようにそれぞれ上方および下方に延びて段面部８６２Ｓを形成し、その上端縁および下端縁からそれぞれ後方に延出している。該ネジ固定部８６２の左側壁における内側面（左側面）８６２Ｎの中央には、図３３に示すように前後に延びる仕切リブ８６３が形成されている。該ネジ固定部８６２における左側壁の内奥側端に連続する外側ブロック８６Ｅの内壁面には、後述するヒンジ部材９０における挿入片９２３の凹凸部９２８に対応する凹凸部（図示せず）が形成されている。
【０１３１】
上記外側ブロック８６Ｅの右側面における上下両端縁の後部からは、正面視コ字形状の嵌合片８６４がそれぞれ延出している。また、外側ブロック８６Ｅの前側面において、上端部の左右２箇所および下端部右寄りの１箇所の計３箇所には、ネジ取出部８６９Ｒ、８６９Ｌ、８６９Ｂがそれぞれ設けられている。これらのうち、右上のネジ取出部８６９Ｒは、外側ブロック８６Ｅの前側面を構成する前側壁に矩形状の貫通孔を穿設し、該貫通孔の上辺、下辺および右辺の各辺の中央から前方に延出片がそれぞれ延出し、各延出片の延出端が中央に向かって直角に延びて正面視Ｔ字形状をなすように交わる形状を有する突起部を前側壁に一体的に形成するようにして設けられ、右下のネジ取出部８６９Ｂは該右上のネジ取出部８６９Ｒと同様に構成され、左上のネジ取出部８６９Ｌは該右上のネジ取出部８６９Ｒと左右対称となるように構成されている。これらネジ取出部８６９Ｒ、８６９Ｌ、８６９Ｂは、後述する内側ブロック８６Ｎのネジ収容腔８７０Ｒ、８７０Ｌ、８７０Ｂに収容された予備の破断ネジ（図示せず）を取り出すためのものであり、それぞれ、正面視中央からＴ字状に延びる延出片をニッパ等により切断して突起部を切除し貫通孔を開放して、内部から破断ネジを取り出すようになっている。このとき、正面視中央からＴ字状に延びる延出片が外側ブロック８６Ｅの前側面より前方に延出しているため切断しやすく、さらに、右上および左上のネジ取出部８６９Ｒ、８６９Ｌは、それぞれの右部および左部の延出片が正面視中央から互いに逆方向に外側へ（それぞれ右方および左方へ）延びているため、一方のネジ取出部８６９Ｒ／８６９Ｌにおける右部／左部の延出片を、他方のネジ取出部８６９Ｌ／８６９Ｒが邪魔となることなく容易に切断し得るようになっている。
【０１３２】
上記内側ブロック８６Ｎは、上記外側ブロック８６Ｅの受入開口８６１の内部形状に対応して、上下にやや長く延びる直方体の上端および下端がそれぞれ一方側（右側）へ直角に延出する、正面視概略Ｃ字形状（コの字の左右対称形状）の外形に成形されたほぼ中空の部材となっている。該内側ブロック８６Ｎは、正面部のみがほぼ開放され、上記外側ブロック８６Ｅの３箇所のネジ取出部８６９Ｒ、８６９Ｌ、８６９Ｂに対応して、右上、左上および右下の３箇所にネジ収容腔８７０Ｒ、８７０Ｌ、８７０Ｂがそれぞれ形成されている。これらネジ収容腔８７０Ｒ、８７０Ｌ、８７０Ｂはいずれも、断面矩形状で前後方向に長く延び、前端が開放され後端が内側ブロック８６Ｎの背面壁により閉塞されている。該ネジ収容腔８７０Ｒ、８７０Ｌ、８７０Ｂにはそれぞれ予備の破断ネジ（図示せず）が収容されるようになっている。
【０１３３】
上記内側ブロック８６Ｎにおける背面の上端縁、下端縁および左端縁からは前記外側ブロック８６Ｅの背面の外周とほぼ合同の外周を有するフランジ８６５が延出している。該内側ブロック８６Ｎにおける上下の延出部の先端面には、先方（右方）へ水平に延出しその先端から前方へ延びて平面視概略鉤形状をなし、その先端部に、テーパ状の前面および垂直な後面を有して側面視台形状に高さ方向中央へ向かって下方ないし上方へ突出する係合突起が形成された係合片８６６がそれぞれ一体的に形成されている。
【０１３４】
上記内側ブロック８６Ｎにおける上下の延出部の間に延びる中央側面８６７には、裏打金具８６８が装着・固定される。該裏打金具８６８は、１枚の金属板の一方側端縁を折り返すように折曲して折返し片８６８Ｆが設けられ、上下２箇所に係合片８６８Ｅがそれぞれ形成された構成となっている。該係合片８６８Ｅは、後側から前側へ向かって延びてコ字状に折り返す形状に金属板に切込みを入れ、該切込みの内側部分を外側にむけてやや傾斜するように引き起こして形成されている。該裏打金具８６８は、内側ブロック８６Ｎの中央側面８６７を構成する壁の前端縁に折返し片８６８Ｆを前方から嵌着するようにして該中央側面８６７上に重合され固定される。
【０１３５】
上記裏打金具８６８が装着された内側ブロック８６Ｎは、ネジ収容腔８７０Ｒ、８７０Ｌ、８７０Ｂにそれぞれ予備の破断ネジ（図示せず）を収容して、図６７に示すように、外側ブロック８６Ｅの受入開口８６１内に挿入され、段面部８６２Ｓに係合片８６６が係合することにより係止固定されて、連結封止部８６が構成される。この状態で、外側ブロック８６Ｅにおけるネジ固定部８６２の左側面８６２Ｎと内側ブロック８６Ｎの中央側面８６７とは所定間隔をおいて離隔しており、これにより、外側ブロック８６Ｅと内側ブロック８６Ｎとの間に、上下に長く延び、前後に奥行を有する挿入口が形成されるようになっている。
【０１３６】
上記連結封止部８６は、第１制御基板ボックス２０１Ａにおける金具挿通部７８Ｆ、７８Ｓ形成側端縁部（図１１および図１２における左側端縁部）に取付固定される。図１６に示すように、ボックスベース７２の一方側端縁部（図１６における左側端縁部）には、螺入部８８および嵌着部８９が設けられている。螺入部８８は、ボックスベース７２の一方側端面（図１６における左側端面）における高さ方向中央部に、水平に延出する延出片を介して一体的に形成された、内部にネジ孔を有して前後に延びる円筒状体８８Ｐを、互いに若干間隔をおいて上下に４個並置するようにして構成されている。嵌着部８９は、螺入部８８のやや上方およびやや下方において、ボックスベース７２の一方側端面（図１６における左側端面）の後端縁から正面視矩形状の端板８９１Ｔ、８９１Ｂがそれぞれ垂直に延出し、上方の端板８９１Ｔにおける上端部には、上端縁および先端縁（図１６における左側端縁）の上部に沿って正面視鉤形状に屈曲しさらにその下端が内側（図１６における右側）に屈曲した形状を有する嵌合片８９２Ｔが前方に延出するとともに、下方の端板８９１Ｂにも該上方の嵌合片８９２Ｔと上下対称をなす嵌合片８９２Ｂが形成された構成となっている。連結封止部８６は、内側ブロック８６Ｎが装填された外側ブロック８６Ｅの受入開口８６１形成側（後側）を後方に、外側ブロック８６Ｅのネジ固定部８６２形成側（右側）を右方にそれぞれ向けた体勢で、外側ブロック８６Ｅの上下の嵌合片８６４を嵌着部８９の上下の嵌合片８９２Ｔ、８９２Ｂにそれぞれ嵌入するようにして、ボックスベース７２の一方側端縁部（図１６における左側端縁部）に前方から嵌着される。これにともない、螺入部８８の４個の円筒状体８８Ｐが外側ブロック８６Ｅにおけるネジ固定部８６２の４個の嵌合部にそれぞれ嵌入する。この状態で、該ネジ固定部８６２のいずれかのネジ収容部８６２Ｈから破断ネジが螺入され、該破断ネジの頭部を破断させることにより、連結封止部８６がボックスベース７２に封止状態で固定される。この固定状態では、連結封止部８６の外側ブロック８６Ｅがネジ固定部８６２でボックスベース７２に固定されているが、内側ブロック８６Ｎも、係合片８６６がボックスベース７２の端板８９１Ｔ、８９１Ｂに当って後方へ抜き出すことが不可となっており、したがって外側ブロック８６Ｅとともに封止状態となっている。
なお、「封止」とは、痕跡を残すことなく固定状態を解除することができない状態とすることを意味し、上記のように破断ネジを用いて固定することや、さらにはこれ以外にも、例えば、「１ＷＡＹネジ」と称される、一方向にのみ回るネジを用いて固定すること、封印シールを貼付すること、等をいずれも含意する。
【０１３７】
上記連結封止部８６は、上記のようにして破断ネジにより封止状態で固定されているので、例えば第１制御基板ボックス２０１Ａの取り外しが必要な場合には、螺入部８８の円筒状体８８Ｐを切り離すことにより封止状態を解除することができる。この後、連結封止部８６を再度第１制御基板ボックス２０１Ａに固定する場合には、前記内側ブロック８６Ｎのネジ収容腔８７０Ｒ、８７０Ｌ、８７０Ｂのいずれかに収容された予備の破断ネジ（図示せず）を外側ブロック８６Ｅのネジ取出部８６９Ｒ、８６９Ｌ、８６９Ｂから取り出して未使用の３個のネジ収容部８６２Ｈのいずれかに螺入し破断させるようにする。このように、１回の封止につき１個の円筒状体８８Ｐで破断ネジにより封止・固定するようにすることで、計４回まで封止および解除を繰り返すことができる。
【０１３８】
上記のようにして連結封止部８６が固定された状態では、該連結封止部８６の後端である背面は、第１制御基板ボックス２０１Ａの後端であるボックスベース７２の背面とほぼ面一となって後方に突出せず、一方、該連結封止部８６の前端である外側ブロック８６Ｅのネジ取出部８６９Ｒ、８６９Ｌ、８６９Ｂは、第１制御基板ボックス２０１Ａの前端であるボックスカバー７１の前面よりもわずかに後方の位置にきて前方に突出しないようになっている。即ち、ネジ取出部８６９Ｒ、８６９Ｌ、８６９Ｂも含め連結封止部８６の前後方向の厚さが、第１制御基板ボックス２０１Ａの前後方向の厚さより小となっていて、第１制御基板ボックス２０１Ａより前方にも後方にも突出することなく設けられている。
【０１３９】
上記連結封止部８６は、図３４ないし図４０に示すように、ヒンジ部材９０に連結される。該ヒンジ部材９０は、図４１および図４２に示すように、固定部９１に可動部９２が回動自在に連結された構成となっている。固定部９１は、概略帯状に延びる金属板を側面視コ字形状に折曲して上下に腕金片９１１Ｔ、９１１Ｂをそれぞれ形成し、該腕金片９１１Ｔ、９１１Ｂの先端部に軸挿通孔をそれぞれ穿設したものとなっている。図３４ないし図４０に示すように、遊技盤３０の裏面における下部には球集合板４６０が固定され、この球集合板４６０は、遊技盤３０の左端近傍から右端近傍まで横長に延びる概略板状体であり、入賞装置に入球した遊技球を受けて下方へ誘導する排出通路が一体的に形成されたものとなっている。該球集合板４６０の左端部には、図４１および図４２に示すように、角形状（四角柱をやや変形した形状）に突出する中空の基台部４６０Ｂが形成され、該基台部４６０Ｂの先端面には上下に２条のスリットが穿設されている。上記固定部９１は、該基台部４６０Ｂの内部から腕金片９１１Ｔ、９１１Ｂをスリットを通して外部へ突出させるようにして、該基台部４６０Ｂに固定されており、これにより、球集合板４６０の外部からは該固定部９１が取り外せないようになっている。
【０１４０】
可動部９２は、図４１および図４２に示すように、金属板を折曲して構成され、概略矩形状の本体片９２１の一端縁(図４１および図４２における前側端縁)から中間片９２２が一方(図４１および図４２における右方)に直角に折曲するように延出し、その延出端から挿入片９２３が、上記本体片９２１と反対側(図４１および図４２における前側)に直角に折曲するように延出し、これにより上記本体片９２１、中間片９２２および挿入片９２３が、平面視Ｓ字状に屈曲しながら連続するように形成されている。上記本体片９２１の中間片９２２に連続する端縁に隣接する一端縁(図４１および図４２における下端縁)における該中間片９２２側と反対側の端部(図４１および図４２における後端部)からは、上記中間片９２２と同方向に上部軸支片９２４Ｔが直角に折曲するように延出し、該上部軸支片９２３Ｔの先端部には軸挿通孔が穿設されている。上記中間片９２２において本体片９２１および挿入片９２３にそれぞれ連続する端縁に隣接する両側部のうち、上記上部軸支片９２４Ｔ形成側と同一側にある一側部(図４１および図４２における下側部)はさらに延出し、その延出端から上記本体片９２１側と同一側(図４１および図４２における後側)に下部軸支片９２４Ｂが直角に折曲するように延出し、上記上部軸支片９２４Ｔと平面視で重なる位置まで延びて、先端部に軸挿通孔が穿設されている。
【０１４１】
上記固定部９１における腕金片９１１Ｔ、９１１Ｂの先端縁は可動部９２の回動に抵触し難い半円形状とされ、可動部９２における上部軸支片９２４Ｔの先端縁も回動に好適な半円形状とされているが、下部軸支片９２４Ｂは矩形状となっていて、両側端縁部の先端近傍はそれぞれ、平面視Ｖ字形状をなして外側（図４１および図４２における下側）へ隆起するように変形加工され、これにより概略三角錐形状に外方（図４１および図４２における下方）へ突出する右側係止突起９２５Ｒおよび左側係止突起９２５Ｌがそれぞれ形成されている。
【０１４２】
上記可動部９２における挿入片９２３には、両側（図４１および図４２における上下）２箇所に並置するように矩形状の係合孔９２６がそれぞれ穿設され、また、該挿入片９２３の先端縁中央から、上記両係合孔９２６の間を通り、中間片９２２に連続する端縁の近傍までスリット状に延びる切欠９２７が形成されている。さらに、挿入片９２３の先端縁における切欠９２７より内側（図４１および図４２における下側）には、両側（図４１および図４２における上下）に並ぶ凸部が突出するように凹凸部９２８が形成されている。
【０１４３】
上記可動部９２における上部軸支片９２４Ｔおよび下部軸支片９２４Ｂは、固定部９１における上下の腕金片９１１Ｔ、９１１Ｂに、それぞれ上側から重合され、軸挿通孔に回動軸９３が挿通されて枢着され、これにより可動部９２が固定部９１に回動自在に連結されるようになっている。該回動軸９３にはコイルバネ９３１が外嵌されており、下部軸支片９２４Ｂを下方の腕金片９１１Ｂ上に圧しつけるように付勢するようになっている。また、この枢着状態で、回動軸９３の上端部は上方の腕金片９１１Ｔよりもやや上方まで突き出てそのぶん余裕が形成されるようになっており、これにより可動部９２をコイルバネ９３１の付勢力に抗して固定部９１に対し上方にずらすように移動させ得るようになっている。
【０１４４】
上記構成により、ヒンジ部材９０においては、図４３ないし図６６に示すように該ヒンジ部材９０を回動範囲内における所定の角度位置に保持し得る仮保持機構が構成されるようになっている。
【０１４５】
上記ヒンジ部材９０の可動部９２を内側（図４３ないし図６６における右側）へ回動させると、下部軸支片９２４Ｂの右側係止突起９２５Ｒが、可動部９２全体をコイルバネ９３１の付勢力に抗して上方に押し上げるように移動させながら、固定部９１における下方の腕金片９１１Ｂの内側端縁（図４３ないし図６６における右側端縁）から該腕金片９１１Ｂ上に乗り上げ、この後、該腕金片９１１Ｂ上を摺動しながら移動し、図４３ないし図５０に示すように可動部９２が内側（図４３ないし図６６における右側）へ最大限に回動すると、右側係止突起９２５Ｒは、図４８および図５０によく表れているように、該腕金片９１１Ｂの外側端縁（図４３ないし図６６における左側端縁）から外方（左方）へ脱落し、以降、コイルバネ９３１の付勢力により下方に圧しつけられることで該腕金片９１１Ｂの外側端縁（図４３ないし図６６における左側端縁）に係合した状態に保持され、これにより、外力が加えられない限り可動部９２がこの位置から逆方向に戻るように回動することがなく、したがってこの位置に仮保持される。この位置では、可動部９２が外方（図４３ないし図６６における左方）へも後方（図４３ないし図６６における前方）へも突出することなく、内側へ折り畳まれた体勢となっているので、最も邪魔にならず納まりが良好であり、したがってこの位置は、例えば基板ボックスを取り付ける前の搬送時や保管時に好適であって、このため本明細書ではこの位置を「収納位置」とする。
【０１４６】
上記収納位置にある可動部９２を逆方向に戻るように回動させると、下部軸支片９２４Ｂの右側係止突起９２５Ｒが再び腕金片９１１Ｂの外側端縁（図４３ないし図６６における左側端縁）から該腕金片９１１Ｂ上に乗り上げ、この後、該腕金片９１１Ｂ上を摺動しながら移動し、図５１ないし図５８に示すように可動部９２が後方（図４３ないし図６６における前方）へまっすぐ突出する位置までくると、右側係止突起９２５Ｒは、図５６および図５８によく表れているように、該腕金片９１１Ｂの内側端縁（図４３ないし図６６における右側端縁）から内方（右方）へ脱落し、以降、コイルバネ９３１の付勢力により下方に圧しつけられることで該腕金片９１１Ｂの内側端縁（図４３ないし図６６における右側端縁）に係合した状態に保持され、またこれと同時に、下部軸支片９２４Ｂの左側係止突起９２５Ｌが該腕金片９１１Ｂの外側端縁（図４３ないし図６６における左側端縁）に当接する位置まできて該端縁に係合した状態に保持される。即ち、下部軸支片９２４Ｂの左側係止突起９２５Ｌおよび右側係止突起９２５Ｒが腕金片９１１Ｂを両側から挟持するようにして係合し、下部軸支片９２４Ｂが腕金片９１１Ｂと同一方向（後方；図４３ないし図６６における前方）に延びる体勢となる。これにより、外力が加えられない限り可動部９２がこの位置から内側へも外側へも回動することがなく、したがってこの位置に仮保持される。この位置は、後述するように第１制御基板ボックス２０１Ａが取り付けられる取付位置である。
【０１４７】
上記取付位置にある可動部９２を外側（図４３ないし図６６における左側）へ回動させると、下部軸支片９２４Ｂの左側係止突起９２５Ｌが、可動部９２全体をコイルバネ９３１の付勢力に抗して上方に押し上げるように移動させながら、下方の腕金片９１１Ｂの外側端縁（図４３ないし図６６における左側端縁）から該腕金片９１１Ｂ上に乗り上げ、この後、該腕金片９１１Ｂ上を摺動しながら移動し、図５９ないし図６６に示すように可動部９２が外側（図４３ないし図６６における左側）へ最大限に回動すると、左側係止突起９２５Ｌは、図６４および図６６によく表れているように、該腕金片９１１Ｂの内側端縁（図４３ないし図６６における右側端縁）から内方（右方）へ脱落し、以降、コイルバネ９３１の付勢力により下方に圧しつけられることで該腕金片９１１Ｂの内側端縁（図４３ないし図６６における右側端縁）に係合した状態に保持され、これにより、外力が加えられない限り可動部９２がこの位置から逆方向に戻るように回動することがなく、したがってこの位置に仮保持される。この位置は、第１制御基板ボックス２０１Ａが取り付けられた状態では該第１制御基板ボックス２０１Ａを開いたときの位置であり、このため本明細書ではこの位置を「開位置」とする。
【０１４８】
上記第１制御基板ボックス２０１Ａは、上記ヒンジ部材９０の可動部９２を取付位置とした状態で、図３５ないし図４０に示すように遊技盤３０の裏面側から取り付けられる。このとき、図３９および図４０に示すように、第１制御基板ボックス２０１Ａの一方側端縁部に固定された連結封止部８６が、ヒンジ部材９０の可動部９２における挿入片９２３を挿入口８６Ｓ内に挿入するようにして、該ヒンジ部材９０に連結固定される。
【０１４９】
連結封止部８６の挿入口８６Ｓ内にヒンジ部材９０の挿入片９２３を挿入すると、該挿入片９２３は、挿入口８６Ｓ内に形成されている前記仕切リブ８６３を切欠９２７内に導入することにより、該仕切リブ８６３に抵触することなく挿入口８６Ｓ内に挿入されていき、先端が挿入口８６Ｓの内奥に達すると、先端縁の凹凸部９２８が前記外側ブロック８６Ｅ内の凹凸部に嵌合して適合し、該挿入片９２３のほぼ全体が挿入口８６Ｓ内に納まる。該挿入片９２３がこの位置まで挿入されると、図６８および図７１に示すように、裏打金具８６８の係合片８６８Ｅが該挿入片９２３の係合孔９２６内に係合し、これにより該挿入片９２３が挿入口８６Ｓから抜け出せない状態となって、連結封止部８６がヒンジ部材９０に連結封止されることとなる。こうして、第１制御基板ボックス２０１Ａが図３４に示すように遊技盤３０の裏面側に取り付けられる。
【０１５０】
また、上記のようにして連結封止部８６の挿入口８６Ｓ内にヒンジ部材９０の挿入片９２３が挿入された状態では、挿入口８６Ｓにおける挿入片９２３の一方面側（連結封止部８６における内側ブロック８６Ｎ側）の半分すなわち挿入片９２３に対し裏打金具８６８の係合片８６８Ｅが存在する側の半分が、ヒンジ部材９０の可動部９２において挿入片９２３に連続し挿入口８６Ｓより外側に露出する中間片９２２により覆われて閉塞される。即ち、該中間片９２２が、挿入口８６Ｓの一部を覆う遮蔽部となっており、これにより外部から裏打金具８６８の係合片８６８Ｅを不正に操作することが困難となっている。
【０１５１】
上記のようにして連結封止部８６をヒンジ部材９０に連結固定することにより、第１制御基板ボックス２０１Ａの一方側端縁部が遊技盤３０の裏面側に取り付けられるが、第１制御基板ボックス２０１Ａの他方側端縁部は、該第１制御基板ボックス２０１Ａと遊技盤３０との間に介在するように配置されたスペーサ部材に着脱自在に取り付けられ固定されるようになっている（図示せず）。
【０１５２】
上記のようにして第１制御基板ボックス２０１Ａが取り付けられた後、例えば点検等を行う場合は、第１制御基板ボックス２０１Ａをヒンジ部材９０で回動させるようにして開き戸式に開放することができるが、最大限に開放すると、ヒンジ部材９０の可動部９２が開位置にきて、これにより第１制御基板ボックス２０１Ａが最大限に開放した体勢に仮保持される。
【０１５３】
（作用）
上述の通り、パチンコ機１０においては、制御基板を内部に収容する第１制御基板ボックス２０１Ａが、係合機構を介してパチンコ機１０の裏面側に連結固定され、上記第１制御基板ボックス２０１Ａは、制御基板の表面側を覆う表面側被覆領域を形成するボックスカバー７１と、制御基板の裏面側を覆う裏面側被覆領域を形成するボックスベース７２とを有し、上記係合機構は、係合部である係合孔９２６が形成された挿入片９２３を有する第１機構部すなわちヒンジ部材９０と、上記挿入片９２３を受容して上記係合孔９２６を内部の係合片８６８Ｅで係合させ得る挿入口８６Ｓを有する第２機構部すなわち連結封止部８６とで構成され、上記パチンコ機１０の裏面側に第１機構部であるヒンジ部材９０が設けられ、上記第１制御基板ボックス２０１Ａ側に第２機構部である連結封止部８６が設けられた構成において、上記第１制御基板ボックス２０１Ａ側に設けられた連結封止部８６が、該第１制御基板ボックス２０１Ａの表面側被覆領域にも裏面側被覆領域にも重なることなく該第１制御基板ボックス２０１Ａの周囲の位置に設けられている構成となっているので、第１制御基板ボックス２０１Ａ内に収容された制御基板を表側ないし裏側から視た場合に連結封止部８６が邪魔になることがなく、したがって制御基板の視認性が良好に維持され、内部状況の確認に支障をきたすようなこともない。また、第１制御基板ボックス２０１Ａにおける表面側被覆領域ないし裏面側被覆領域の前後のスペースを連結封止部８６が占有することがなく、したがってそのぶん第１制御基板ボックス２０１Ａ周辺のスペースが確保されている。
【０１５４】
また、第１制御基板ボックス２０１Ａ側に設けられた連結封止部８６の前後方向の厚さが、第１制御基板ボックス２０１Ａの前後方向の厚さより小となっていて、前記第１制御基板ボックス２０１Ａより前方にも後方にも突出することなく設けられているので、第１制御基板ボックス２０１Ａ側に設けられた連結封止部８６が第１制御基板ボックス２０１Ａの厚さの範囲内に納まっており、したがって遊技盤３０の裏側における前後方向のスペースがより無駄なく有効に利用されるようになっている。
【０１５５】
また、遊技盤３０側に第１機構部であるヒンジ部材９０が設けられ、前記第１制御基板ボックス２０１Ａ側に第２機構部である連結封止部８６が設けられている。第２機構部である連結封止部８６は、第１機構部であるヒンジ部材９０の挿入片９２３を受容する部位であるため、そのぶん必然的に該挿入片９２３よりも大きく構成されており、したがって上記パチンコ機１０のように第１制御基板ボックス２０１Ａ側に連結封止部８６が設けられていると、視認性の面でも占有スペースの面でも影響がより大きいので、これを第１制御基板ボックス２０１Ａの前面部にも後面部にも重なることなく該第１制御基板ボックス２０１Ａの周囲の位置に設けるようにした効果がより有効に発揮されている。
【０１５６】
また、第１制御基板ボックス２０１Ａの周囲の位置に、該第１制御基板ボックス２０１Ａを封印するための封印部すなわち金具挿通部７８Ｆ、７８Ｓ、破断ネジ挿通部８４Ｆおよび矩形状突起部８５１が設けられ、第１制御基板ボックス２０１Ａ側に設けられた第２機構部である連結封止部８６が、上記３箇所の封印部のいずれの前面部にも後面部にも重ならない位置に設けられているので、該封印部の視認性も第２機構部である連結封止部８６によって阻害されることがなく、該封印部の状況を確認するのに支障をきたすようなこともない。
また、上記封印部の前後においても、第２機構部である連結封止部８６がスペースを占有することがないため、そのぶん該封印部における前後方向のスペースが確保されている。
【０１５７】
また、第１機構部であるヒンジ部材９０の挿入片９２３に所定の凹凸部９２８が形成され、第２機構部である連結封止部８６の挿入口８６Ｓ内に、上記挿入片９２３の凹凸部９２８と嵌合し得る凹凸部が形成されている。本実施形態のパチンコ機１０は、同一部品から構成される同一構成の製品であって当選確率のみを互いに異なるように設定した複数種の製品に製造され、当該パチンコ機１０の前面部に、遊技者に視認されるように当該パチンコ機１０の当選確率が表示されるようになっている（図示せず）。このため、この所定の当選確率が表示された製品に、当該当選確率に設定された主制御基板を収容した第１制御基板ボックス２０１Ａが正しく取り付けられている必要があるが、異なる当選確率に設定された主制御基板同士であっても同一部品から構成されているため、当該主制御基板がいずれの当選確率に設定されたものであるのか見分けがつき難い。したがって、所定の当選確率が表示された遊技機に、当該当選確率とは異なる当選確率に設定された主制御基板を収容した第１制御基板ボックス２０１Ａが誤って取り付けられてしまう不良（誤組付）が生じやすい。そこで、上記パチンコ機１０においては、所定の当選確率が表示された製品の遊技盤３０側に設けられる第１機構部であるヒンジ部材９０の挿入片９２３の凹凸部９２８と、当該当選確率に設定された主制御基板の第１制御基板ボックス２０１Ａ側に設けられる第２機構部である連結封止部８６の挿入口８６Ｓ内の凹凸部とが互いに嵌合し得るように形成され、これとは異なる当選確率に設定された製品においては凹凸部の形状、位置、数等が変えられており、所定の当選確率が表示された製品には当該当選確率に設定された主制御基板を収容した第１制御基板ボックス２０１Ａしか取り付けられないようになっていて、これにより誤組付が効果的に防止されるようになっている。
【０１５８】
また、第１機構部と第２機構部とを互いに係合させた状態にあるとき、例えば第２機構部の挿入口内に針金等の不正具を進入させて第１機構部の係合部ないし第２機構部の係合部を動かすようにすると、この係合状態が解除されて第１制御基板ボックス２０１Ａが不正に取り外されることとなる場合があるが、これに対し上記パチンコ機１０においては、第１機構部であるヒンジ部材９０における挿入片９２３の２個所に係合部として係合孔９２６がそれぞれ形成され、第２機構部である連結封止部８６の挿入口８６Ｓ内に、上記挿入片９２３の２個所の係合孔９２６とそれぞれ係合し得る係合部として２箇所に係合片８６８Ｅが形成された構成、即ち、第１機構部および第２機構部のそれぞれにおける複数個所（２箇所）に係合部が設けられ、これにより互いに係合し合う係合部が複数組（２組）設けられた構成となっているので、第１機構部（ヒンジ部材９０）と第２機構部（連結封止部８６）との係合を解除するには複数箇所（２箇所）における係合状態を同時に解除することが必要となり、したがって第１制御基板ボックス２０１Ａの不正な取り外しがより困難となっている。
【０１５９】
また、上記第１機構部の係合部である係合孔９２６および第２機構部の係合部である係合片８６８Ｅよりなる２組の間を仕切る仕切部として仕切リブ８６３が設けられているので、上記係合孔９２６と係合片８６８Ｅとがそれぞれ係合した２箇所の間が仕切リブ８６３によって互いに隔絶されており、したがって２箇所における係合状態を同時に解除することがより困難となって第１制御基板ボックス２０１Ａの不正な取り外しがより困難となっている。
【０１６０】
また、第１機構部であるヒンジ部材９０の挿入片９２３が第２機構部である連結封止部８６の挿入口８６Ｓに挿入された状態で該挿入口８６Ｓの少なくとも一部を覆う遮蔽部として中間片９２２がヒンジ部材９０に設けられているので、例えば上記挿入口８６Ｓ内に針金等の不正具を進入させることが、遮蔽部である中間片９２２が障害となって困難となっており、したがって第１制御基板ボックス２０１Ａの不正な取り外しがより困難となっている。
【０１６１】
また、上記挿入片９２３が金属板を成形してなるものであり、第２機構部である連結封止部８６の挿入口８６Ｓに挿入された状態で該挿入口８６Ｓより外側に露出した部分を一方に折り曲げることにより上記遮蔽部である中間片９２２が形成されているので、折曲加工により容易に遮蔽部である中間片９２２が挿入片９２３と一体的に形成されている。
【０１６２】
また、パチンコ機１０においては、制御基板を内部に収容する第１制御基板ボックス２０１Ａが、所定の軸すなわち回動軸９３を中心として回動し得るヒンジ部材９０を介して開閉可能に連結固定された構成において、上記ヒンジ部材９０が、該ヒンジ部材９０を回動範囲内における所定の角度位置すなわち取付位置、収納位置ないし開位置に保持し得る仮保持機構を備える構成としたので、パチンコ機１０の保管、搬送、組立、点検等の際にヒンジ部材９０を仮保持機構により所定の角度位置に保持しておくことにより、ヒンジ部材９０の不要な回動を抑制することができる。
【０１６３】
また、上記仮保持機構が、ヒンジ部材９０を第１制御基板ボックス２０１Ａが取り付けられる取付位置に保持し得るものとなっているので、第１制御基板ボックス２０１Ａの取付時に、ヒンジ部材９０を取付位置に保持して動かないようにしておくことにより、第１制御基板ボックス２０１Ａを容易かつ確実に取り付けることができ、ヒンジ部材９０が動いて取付作業が煩瑣となるといった難点もなく作業性が良好となっている。
【０１６４】
特に、例えば基板ボックスが前面ないし後面に沿った方向（例えば左右方向）にスライドさせるようにしてヒンジ部材等に取り付けられる場合には、該ヒンジ部材等の位置を視認しながら基板ボックスを取り付けることもあまり困難とはならないのに対し、本実施形態のパチンコ機１０では第１制御基板ボックス２０１Ａが前面ないし後面に垂直な方向（即ち後方向）からヒンジ部材９０に取り付けられるようになっているので、該第１制御基板ボックス２０１Ａ自体により視界が遮られてヒンジ部材９０の位置が視認しづらくなり、ヒンジ部材９０が動いたりすると取付作業が煩瑣となりやすい。このため、上述のようにヒンジ部材９０を取付位置に保持することが作業性を良好とする上で特に有効となっている。
換言すれば、本実施形態のパチンコ機１０では、前述の通り第１制御基板ボックス２０１Ａ内の視認性を良好に維持するとともに第１制御基板ボックス２０１Ａの前後のスペースを確保するために、連結封止部８６が、該第１制御基板ボックス２０１Ａの表面側被覆領域にも裏面側被覆領域にも重なることなく該第１制御基板ボックス２０１Ａの周囲の位置に設けられ、これにともない第１制御基板ボックス２０１Ａが後方向からヒンジ部材９０に取り付けられることとなって、取付作業が煩瑣となりやすく、このためヒンジ部材９０を取付位置に保持する構成が特に有効な配置構成となっているともいうことができる。
【０１６５】
また、上記仮保持機構が、ヒンジ部材９０を折り畳んだ収納位置に保持し得るものとなっているので、例えば第１制御基板ボックス２０１Ａを取り付ける前の搬送時や保管時に、ヒンジ部材９０を収納位置に保持して動かないようにしておくことにより、ヒンジ部材９０を、搬送作業の邪魔になったり、搬送や保管の際に起立して納まりの悪い体勢となったりすることなく、整然と収納した体勢としておくことができる。
【０１６６】
またこの場合、仮保持機構は、前記取付位置の場合における機構を用いてヒンジ部材９０を収納位置に保持し得るようになっているので、そのぶん構成が簡略となっている。即ち、ヒンジ部材９０を収納位置に保持するには、例えば、球集合板に適宜な係合部を設け、ヒンジ部材９０の先端部をこの係合部に係合させることにより収納位置に保持する機構とすることも考えられるが、本実施形態のパチンコ機１０では、このような係合部を設けなくともヒンジ部材９０を収納位置に保持することができ、そのぶん球集合板４６０等に付加的な仮保持構造を追加することも不要となっている。
【０１６７】
また、上記仮保持機構が、ヒンジ部材９０を第１制御基板ボックス２０１Ａを開いた開位置に保持し得るものとなっているので、第１制御基板ボックス２０１Ａの点検のために該第１制御基板ボックス２０１Ａを開いた時に、ヒンジ部材９０を開位置に保持して動かないようにしておくことにより、ヒンジ部材９０が動いて点検作業の邪魔になるといった難点もなく作業性が良好となっている。
【０１６８】
また、ヒンジ部材９０が、板状片同士すなわち可動部９２における上部軸支片９２４Ｔおよび下部軸支片９２４Ｂと固定部９１における上下の腕金片９１１Ｔ、９１１Ｂとをそれぞれ重合し回動軸９３を挿通して枢着することにより構成され、上記仮保持機構が、上記板状片すなわち可動部９２および固定部９１のうちの一方である可動部９２を他方である固定部９１にむけて付勢手段であるコイルバネ９３１により付勢するとともに、上記双方の板状片すなわち可動部９２および固定部９１に、互いに係合し合う係止機構を設けることにより構成されているので、多数の部品を要することもなく簡潔な構成により効果的に機能し得るヒンジ部材９０および仮保持機構となっている。
【０１６９】
また、上記係止機構が、一方の板状片である可動部９２の下部軸支片９２４Ｂに、他方の板状片である固定部９１の（下方の）腕金片９１１Ｂにむけて突出して該腕金片９１１Ｂの辺縁部に係合する右側係止突起９２５Ｒおよび左側係止突起９２５Ｌを設けることにより構成されているので、一方の板状片である可動部９２の下部軸支片９２４Ｂに設けた右側係止突起９２５Ｒおよび左側係止突起９２５Ｌを係合させる対象として他方の板状片である固定部９１の腕金片９１１Ｂの辺縁部を利用できるため、そのぶんより簡略な係止機構となっている。
【０１７０】
（変更態様）
上記パチンコ機１０には、例えば以下に列挙するように様々な変更を加えることが可能である。
【０１７１】
（１）前記実施形態においては、遊技盤３０側に第１機構部であるヒンジ部材９０が設けられ、第１制御基板ボックス２０１Ａ側に第２機構部である連結封止部８６が設けられていたが、これとは逆に、遊技盤側に第２機構部を設け、基板ボックス側に第１機構部を設けるようにしてもよい。例えば、基板ボックスに、遊技盤側へむけて突出するとともに係合部が形成された挿入片を設け、遊技盤の裏面に固定された球集合板に、該挿入片を受容してその係合部を内部で係合させ得る挿入口を形成するようにした構成等が挙げられる。
ただし、前述の通り、第２機構部は、第１機構部の挿入片を受容する部位であるため、そのぶん第１機構部よりも大きく構成されざるを得ず、したがって基板ボックス側に第２機構部を設けたほうが、視認性の面でも占有スペースの面でも影響がより大きいので、これを基板ボックスの前面部にも後面部にも重なることなく該基板ボックスの周囲の位置に設けるようにした本発明の効果がより有効に発揮されることとなる。
【０１７２】
（２）前記実施形態においては、第２機構部である連結封止部８６が、第１制御基板ボックス２０１Ａにおける金具挿通部７８Ｆ、７８Ｓ形成側端縁部（図３４ないし図３８上の左側端縁部）に固定されるようになっているが、このように該第２機構部を基板ボックスの周縁に直接的に固定する以外にも、例えば、適宜な架設部材を介して、基板ボックスの周縁から離隔した周囲に設けるようにしてもよい。あるいはこの場合、基板ボックスと第２機構部との間に介在する架設部材も、該基板ボックスまたは第２機構部のいずれかの一部を構成するものとみなすこともできる。
また、第２機構部を基板ボックスの周縁部に一体的に形成するようにしてもよい。ただし、第２機構部は、内部に係合部が形成されることから、前記実施形態におけるように基板ボックスとは別に組み立てるほうが構成しやすい。
【０１７３】
（３）前記実施形態においては、第１機構部であるヒンジ部材９０の係合部として係合孔９２６が、第２機構部である連結封止部８６の係合部として係合片８６８Ｅがそれぞれ設けられていたが、これとは逆に、第１機構部に係合片を、第２機構部に係合孔をそれぞれ設けるようにしてもよい。また、第１機構部および第２機構部のそれぞれの係合部としては、上記のような係合片および係合孔以外にも、互いに係合し得るものであれば任意のものを用いることができる。
【０１７４】
（４）前記実施形態においては、    ヒンジ部材９０が、該ヒンジ部材９０を回動範囲内における取付位置、収納位置ないし開位置の３通りの位置に保持し得る仮保持機構を備えるものとなっていたが、仮保持機構としては、ヒンジ部材９０を上記３通りの位置に保持し得るものに限定されるものではなく、回動範囲内における少なくとも１つの位置に保持し得るものであればよい。特に、上記３通りの位置のなかでも取付位置が最も重要であり、ついで開位置および収納位置がこの順に重要であるので、仮保持機構はヒンジ部材９０を少なくとも取付位置に保持し得、望ましくは開位置にもあわせて保持し得、さらに望ましくは収納位置にもあわせて保持し得るように構成することが好ましい。ヒンジ部材９０を１つの位置に保持し得るものとする場合、例えば、ヒンジ部材において互いに重合される一組の片のうちの一方片に係止突起を設け、この係止突起に係合し得る係合穴を他方片に設けるようにすることにより仮保持機構を構成することができる。ただし、前記実施形態においては、前述の通り下部軸支片９２４Ｂの左側係止突起９２５Ｌおよび右側係止突起９２５Ｒが腕金片９１１Ｂを両側から挟持するようにして係合する構成となっており、この構成によれば、該腕金片９１１Ｂの両側端縁を利用してきわめて簡潔な構成によってヒンジ部材９０を３通りの位置に保持し得る仮保持機構を構成することができる。
【０１７５】
（５）前記実施形態においては、ヒンジ部材９０の可動部９２が固定部９１にむけて付勢手段であるコイルバネ９３１により付勢されるようになっていたが、例えばコイルバネ９３１にかえて、ウェーブワッシャと称される弾性を有するワッシャを付勢手段として用い、これにより簡略な構成の仮保持機構とするようにしてもよい。このように付勢手段としてウェーブワッシャを用いて前記実施形態の構成を一部変更するとすれば、例えば、ヒンジ部材９０の可動部９２における上部軸支片９２４Ｔおよび下部軸支片９２４Ｂを、固定部９１における上下の腕金片９１１Ｔ、９１１Ｂに回動軸９３ではなくリベットにより上下それぞれにおいて枢着し、上部軸支片９２４Ｔと上方の腕金片９１１Ｔとの間にウェーブワッシャを介装するようにすればよい（図示せず）。なおこのとき、上部軸支片９２４Ｔと上方の腕金片９１１Ｔとは、前記実施形態の場合とは逆に、上部軸支片９２４Ｔが下側、腕金片９１１Ｔが上側にくるように重合し、これらの間にウェーブワッシャを介装することにより、可動部９２を固定部９１にむけて付勢するようにすることができる。
【０１７６】
（６）前記実施形態は、Ａ）第１制御基板ボックス２０１Ａ側に設けられた連結封止部８６が、該第１制御基板ボックス２０１Ａの前面部にも後面部にも重なることなく該第１制御基板ボックス２０１Ａの周囲の位置に設けられている構成、ならびにＢ）ヒンジ部材９０が、該ヒンジ部材９０を回動範囲内における所定の角度位置すなわち取付位置、収納位置ないし開位置に保持し得る仮保持機構を備える構成、のいずれをも備えるものとなっていたが、上記Ａ）、Ｂ）のうちの一方の構成のみを備えるものとしてもよい。上記Ａ）の構成のみを備えるものとする場合、仮保持機構を備えないヒンジ部材を用いてもよいが、さらには例えば、ヒンジ部材を用いることなく（即ち回動による開閉機構を省略して）、遊技盤側に第１機構部または第２機構部を設け、基板ボックス側に第２機構部または第１機構部を設けるようにしてもよい。上記Ｂ）の構成のみを備えるものとする場合、基板ボックス側に設けられる第２機構部または第１機構部の位置は問わず、基板ボックスにおける任意の位置に設けるようにしてもよいが、さらには、ヒンジ部材と基板ボックスとの取付構造も任意のものでよく、例えばヒンジ部材を基板ボックスに破断ネジ等により直接的に固定するようにしてもよい。さらにはまた、例えばヒンジ部材を遊技盤側でなく基板ボックス側に設けておくようにしてもよい。
【０１７７】
（７）前記実施形態においては、主制御基板を収容する第１制御基板ボックス２０１Ａについて説明したが、第１制御基板ボックス２０１Ａと同様の構成ならびにその取付構造は、主制御基板以外にも、表示制御基板、サブ制御基板、払出制御基板、電源基板、発射制御基板等の各種の制御基板を収容する基板ボックスに適用することができる。
【０１７８】
（８）前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０１７９】
なお本明細書は、次に掲げる発明をいずれも開示している。
【０１８０】
本発明にかかる遊技機は、手段１として、
制御基板を内部に収容する基板ボックスが、係合機構を介して遊技機の裏面側に連結固定され、
前記基板ボックスは、制御基板の表面側を覆う表面側被覆領域と裏面側を覆う裏面側被覆領域とを有し、
前記係合機構は、係合部が形成された挿入片を有する第１機構部と、前記挿入片を受容して前記係合部を内部で係合させ得る挿入口を有する第２機構部とで構成され、前記遊技機の裏面側に第１機構部または第２機構部が設けられ、前記基板ボックス側に第２機構部または第１機構部が設けられた遊技機であって、
前記基板ボックス側に設けられた第２機構部または第１機構部が、該基板ボックスの表面側被覆領域にも裏面側被覆領域にも重なることなく該基板ボックスの周囲の位置に設けられていることを特徴とする。
【０１８１】
本発明において、「表面側被覆領域」および「裏面側被覆領域」とは、制御基板の外形を表面側および裏面側に向けて基板面に垂直な方向に投影した場合に、基板ボックスを構成する壁面上に形成される図形によって包囲される領域のことである。したがって、表面側被覆領域ないし裏面側被覆領域内にある基板ボックスの壁面は、制御基板に平行な平面だけでなく、それ以外の平面や、さらには平面以外の、曲面や凹凸を有するもの等の任意の形状のものが含まれる。
【０１８２】
上記手段１の構成によれば、基板ボックス内に収容された制御基板を表側ないし裏側から視た場合に第２機構部または第１機構部が邪魔になることがなく、したがって制御基板の視認性が良好に維持され、内部状況の確認に支障をきたすようなこともない。
また、基板ボックスにおける表面側被覆領域ないし裏面側被覆領域の前後のスペースを第２機構部または第１機構部が占有することがなく、したがってそのぶん遊技機の裏面側における前後方向のスペースを確保することができる。
【０１８３】
また、本発明にかかる遊技機は、手段２として、手段１の遊技機において、
前記基板ボックス側に設けられた第２機構部または第１機構部の前後方向の厚さが、前記基板ボックスの前後方向の厚さと同じまたはこれより小となっていて、前記基板ボックスより前方にも後方にも突出することなく設けられていることを特徴とする。
【０１８４】
上記手段２の構成によれば、基板ボックス側に設けられた第２機構部または第１機構部が基板ボックスの厚さの範囲内に納まり、したがって遊技盤の裏側における前後方向のスペースをより無駄なく有効に利用することができる。
【０１８５】
また、本発明にかかる遊技機は、手段３として、手段１または手段２の遊技機において、
前記遊技盤側に第１機構部が設けられ、前記基板ボックス側に第２機構部が設けられていることを特徴とする。
【０１８６】
第２機構部は、第１機構部の挿入片を受容する部位であるため、そのぶん第１機構部よりも大きく構成されざるを得ず、したがって上記手段３のように基板ボックス側に第２機構部が設けられていると、視認性の面でも占有スペースの面でも影響がより大きいので、これを基板ボックスの前面部にも後面部にも重なることなく該基板ボックスの周囲の位置に設けるようにした本発明の効果がより有効に発揮されることとなる。
【０１８７】
また、本発明にかかる遊技機は、手段４として、手段１から手段３のいずれかの遊技機において、
前記基板ボックスの周囲の位置に、該基板ボックスを封印するための封印部が設けられ、前記基板ボックス側に設けられた第２機構部または第１機構部が、該封印部の前面部にも後面部にも重ならない位置に設けられていることを特徴とする。
【０１８８】
本発明において、「基板ボックスを封印する」とは、痕跡を残すことなく基板ボックスを開封することができない状態とすることを意味する。
【０１８９】
上記手段４の構成によれば、封印部の視認性も第２機構部または第１機構部によって阻害されることがなく、封印部の状況を確認するのに支障をきたすようなこともない。
また、封印部の前後においても、第２機構部または第１機構部がスペースを占有することがないため、そのぶん封印部における前後方向のスペースを確保することができる。
【０１９０】
また、本発明にかかる遊技機は、手段５として、手段１から手段４のいずれかの遊技機において、
前記第１機構部の挿入片に所定の凹凸部が形成され、前記第２機構部の挿入口内に、前記挿入片の凹凸部と嵌合し得る凹凸部が形成されていることを特徴とする。
【０１９１】
遊技機においては、例えば、同一部品から構成されたものであって当選確率のみが異なるように設定されたものがあり、この場合、遊技機の前面部に、遊技者に視認されるように当該遊技機の当選確率が表示されるようになっている。このため、この所定の当選確率が表示された遊技機に、当該当選確率に設定された主制御基板が正しく取り付けられている必要があるが、異なる当選確率に設定された主制御基板であっても、同一部品から構成されたものであるため見分けがつき難く、したがって所定の当選確率が表示された遊技機に、当該当選確率とは異なる当選確率に設定された主制御基板が誤って取り付けられてしまう不良（以下、「誤組付」とも称す）が生じやすい。そこで、上記手段５の構成によれば、所定の当選確率が表示された遊技機の遊技盤側に設けられる第１機構部または第２機構部の凹凸部と、当該当選確率に設定された主制御基板の基板ボックス側に設けられる第２機構部または第１機構部の凹凸部とを互いに嵌合し得るように形成しておき、これとは異なる当選確率に設定された遊技機においては凹凸部の形状、位置、数等を変えるようにすることにより、所定の当選確率が表示された遊技機には当該当選確率に設定された主制御基板しか取り付けられないようにして誤組付を効果的に防止するようにすることができる。
【０１９２】
また、本発明にかかる遊技機は、手段６として、手段１から手段５のいずれかの遊技機において、
前記第１機構部における挿入片の複数個所に係合部がそれぞれ形成され、前記第２機構部における挿入口内に、前記挿入片の複数個所の係合部とそれぞれ係合し得る係合部が形成されていることを特徴とする。
【０１９３】
第１機構部と第２機構部とを互いに係合させた状態にあるとき、例えば第２機構部の挿入口内に針金等の不正具を進入させて第１機構部の係合部ないし第２機構部の係合部を動かすようにすると、この係合状態が解除されて基板ボックスが不正に取り外されることとなる場合があるが、上記手段６のように第１機構部および第２機構部のそれぞれにおける複数個所に係合部が設けられ、これにより互いに係合し合う係合部が複数組設けられた構成によれば、第１機構部と第２機構部との係合を解除するには複数箇所における係合状態を同時に解除することが必要となり、したがって基板ボックスの不正な取り外しをより困難とすることができる。
【０１９４】
また、本発明にかかる遊技機は、手段７として、手段６の遊技機において、
前記第１機構部の係合部および第２機構部の係合部よりなる組の間を仕切る仕切部が設けられていることを特徴とする。
【０１９５】
上記手段７の構成によれば、第１機構部の係合部と第２機構部の係合部とがそれぞれ係合した複数箇所の間が仕切部によって互いに隔絶されることとなり、したがって複数箇所における係合状態を同時に解除することがより困難となって基板ボックスの不正な取り外しをより困難とすることができる。
【０１９６】
また、本発明にかかる遊技機は、手段８として、手段１から手段７のいずれかの遊技機において、
前記第１機構部の挿入片が前記第２機構部の挿入口に挿入された状態で該挿入口の少なくとも一部を覆う遮蔽部が設けられていることを特徴とする。
【０１９７】
上記手段８の構成によれば、例えば第２機構部の挿入口内に針金等の不正具を進入させることが遮蔽部が障害となって困難となり、したがって基板ボックスの不正な取り外しをより困難とすることができる。
【０１９８】
また、本発明にかかる遊技機は、手段９として、手段８の遊技機において、
前記挿入片が金属板を成形してなるものであり、前記第２機構部の挿入口に挿入された状態で該挿入口より外側に露出した部分を一方に折り曲げることにより前記遮蔽部が形成されていることを特徴とする。
【０１９９】
上記手段９の構成によれば、折曲加工により容易に遮蔽部を挿入片と一体的に形成することができる。
【０２００】
また、本発明にかかる遊技機は、手段１０として、手段１から手段９のいずれかの遊技機において、
前記基板ボックスが、所定の軸を中心として回動し得るヒンジ部材を介して開閉可能に連結固定され、
前記ヒンジ部材が、該ヒンジ部材を回動範囲内における所定の角度位置に保持し得る仮保持機構を備えることを特徴とする。
【０２０１】
上記手段１０の構成によれば、遊技機の保管、搬送、組立、点検等の際にヒンジ部材を仮保持機構により所定の角度位置に保持しておくことにより、ヒンジ部材の不要な回動を抑制することができる。
【０２０２】
また、本発明にかかる遊技機は、手段１１として、手段１０の遊技機において、
前記仮保持機構が、ヒンジ部材を基板ボックスが取り付けられる取付位置に保持し得るものであることを特徴とする。
【０２０３】
上記手段１１の構成によれば、基板ボックスの取付時に、ヒンジ部材を取付位置に保持して動かないようにしておくことにより、基板ボックスを容易かつ確実に取り付けることができ、ヒンジ部材が動いて取付作業が煩瑣となるといった難点もなく作業性を良好とすることができる。
【０２０４】
また、本発明にかかる遊技機は、手段１２として、手段１０または手段１１の遊技機において、
前記仮保持機構が、ヒンジ部材を折り畳んだ収納位置に保持し得るものであることを特徴とする。
【０２０５】
上記手段１２の構成によれば、例えば基板ボックスを取り付ける前の搬送時や保管時に、ヒンジ部材を収納位置に保持して動かないようにしておくことにより、ヒンジ部材を、搬送作業の邪魔になったり、搬送や保管の際に起立して納まりの悪い体勢となったりすることなく、整然と収納した体勢としておくことができる。
【０２０６】
また、本発明にかかる遊技機は、手段１３として、手段１０から手段１２のいずれかの遊技機において、
前記仮保持機構が、ヒンジ部材を基板ボックスを開いた開位置に保持し得るものであることを特徴とする。
【０２０７】
上記手段１３の構成によれば、基板ボックスの点検のために該基板ボックスを開いた時に、ヒンジ部材を開位置に保持して動かないようにしておくことにより、ヒンジ部材が動いて点検作業の邪魔になるといった難点もなく作業性を良好とすることができる。
【０２０８】
また、本発明にかかる遊技機は、手段１４として、手段１０から手段１３のいずれかの遊技機において、
前記ヒンジ部材が、板状片同士を重合し軸を挿通して枢着することにより構成され、前記仮保持機構が、前記板状片のうちのいずれか一方の板状片を他方の板状片にむけて付勢手段により付勢するとともに、前記双方の板状片に、互いに係合し合う係止機構を設けることにより構成されていることを特徴とする。
【０２０９】
上記手段１４の構成によれば、多数の部品を要することもなく簡潔な構成により効果的に機能し得るヒンジ部材および仮保持機構とすることができる。
【０２１０】
また、本発明にかかる遊技機は、手段１５として、手段１４の遊技機において、
前記係止機構が、前記板状片のうちのいずれか一方の板状片に、他方の板状片にむけて突出して該上記他方の板状片の辺縁部に係合する係止突起を設けることにより構成されていることを特徴とする。
【０２１１】
上記手段１５の構成によれば、板状片のうちのいずれか一方の板状片に設けた係止突起を係合させる対象として他方の板状片の辺縁部を利用できるため、そのぶんより簡略な係止機構とすることができる。
る。
【０２１２】
また、本発明にかかる遊技機は、手段１６として、手段１４または手段１５の遊技機において、
前記付勢手段が、前記板状片の間に介装された弾性を有するワッシャとなっていることを特徴とする。
【０２１３】
上記手段１６の構成によれば、仮保持機構の構成をさらに簡略化することができる。
【０２１４】
また、本発明にかかる遊技機は、手段１７として、手段１から手段１６のいずれかの遊技機において、
遊技機がパチンコ機であることを特徴とする。
【０２１５】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【０２１６】
パチンコ機にあっては、係合機構における基板ボックス側に設けられる第２機構部または第１機構部を、上記基板ボックスの表面側被覆領域にも裏面側被覆領域にも重なることなく該基板ボックスの周囲の位置に設けるようにしたことにより、基板ボックスの視認性を係合機構により阻害されることなく良好に維持することができるとともに、遊技機の裏面側における前後方向のスペースを係合機構により占有されることなく効率よく確保することが可能なパチンコ機が得られる。
【０２１７】
また、本発明にかかる遊技機は、手段１８として、手段１から手段１６のいずれかの遊技機において、
遊技機がスロット機であることを特徴とする。
【０２１８】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【０２１９】
スロット機にあっては、係合機構における基板ボックス側に設けられる第２機構部または第１機構部を、上記基板ボックスの表面側被覆領域にも裏面側被覆領域にも重なることなく該基板ボックスの周囲の位置に設けるようにしたことにより、基板ボックスの視認性を係合機構により阻害されることなく良好に維持することができるとともに、遊技機の裏面側における前後方向のスペースを係合機構により占有されることなく効率よく確保することが可能なスロット機が得られる。
【０２２０】
また、本発明にかかる遊技機は、手段１９として、手段１から手段１６のいずれかの遊技機において、
遊技機がパチンコ機とスロット機を融合させた遊技機であることを特徴とする。
【０２２１】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０２２２】
パチンコ機とスロット機を融合させた遊技機にあっては、係合機構における基板ボックス側に設けられる第２機構部または第１機構部を、上記基板ボックスの表面側被覆領域にも裏面側被覆領域にも重なることなく該基板ボックスの周囲の位置に設けるようにしたことにより、基板ボックスの視認性を係合機構により阻害されることなく良好に維持することができるとともに、遊技機の裏面側における前後方向のスペースを係合機構により占有されることなく効率よく確保することが可能な、パチンコ機とスロット機を融合させた遊技機が得られる。
【産業上の利用可能性】
【０２２３】
本発明は、パチンコ機やスロットマシン等の遊技機であれば広汎に実施することが可能である。
【図面の簡単な説明】
【０２２４】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】図４の遊技盤の斜視図。
【図６】図１のパチンコ機の背面の構成を示す分解斜視図。
【図７】図４の遊技盤の背面側の斜視図。
【図８】図４の遊技盤の背面図。
【図９】パチンコ機の電気的構成の一例を示すブロック図。
【図１０】破断ネジの一例を示す正面図。
【図１１】第１制御基板ボックスの正面側の斜視図。
【図１２】第１制御基板ボックスの正面側の斜視図。
【図１３】第１制御基板ボックスの背面側の斜視図。
【図１４】第１制御基板ボックスの背面側の斜視図。
【図１５】第１制御基板ボックスの正面図。
【図１６】第１制御基板ボックスのボックスカバーとボックスベースとを分離した状況を示す部分斜視図。
【図１７】第１制御基板ボックスのボックスカバーとボックスベースとを分離した状況を示す部分平面図。
【図１８】第１制御基板ボックスのボックスカバーとボックスベースとを重合した状況を示す部分斜視図。
【図１９】第１制御基板ボックスのボックスカバーとボックスベースとを重合した状況を示す部分平面図。
【図２０】第１制御基板ボックスのボックスカバーとボックスベースとを重合した状況を示す部分正面図。
【図２１】第１制御基板ボックスを閉塞した状況を示す部分斜視図。
【図２２】第１制御基板ボックスを閉塞した状況を示す部分平面図。
【図２３】第１制御基板ボックスを閉塞した状況を示す部分正面図。
【図２４】第１制御基板ボックスを再度封印した状況を示す部分斜視図。
【図２５】（ａ）封印前および（ｂ）封印後における図２３のＡ−Ａ線部断面図。
【図２６】図２３のＢ−Ｂ線部断面図。
【図２７】第１制御基板ボックスを封印シールを貼付することにより封印した状態の部分拡大斜視図。
【図２８】封印シールの断面図。
【図２９】封印シールの正面図。
【図３０】封印シールの背面図。
【図３１】連結封止部の正面側の斜視図。
【図３２】連結封止部の正面側の斜視図。
【図３３】連結封止部の背面側の斜視図。
【図３４】遊技盤に第１制御基板ボックスを取り付けた状況の背面側の斜視図。
【図３５】遊技盤から第１制御基板ボックスを取り外した状況の背面側の斜視図。
【図３６】遊技盤から第１制御基板ボックスを取り外した状況の背面側の斜視図。
【図３７】遊技盤から第１制御基板ボックスを取り外した状況の背面側の斜視図。
【図３８】遊技盤から第１制御基板ボックスを取り外した状況の背面側の斜視図。
【図３９】遊技盤から第１制御基板ボックスを取り外した状況の正面側の斜視図。
【図４０】遊技盤から第１制御基板ボックスを取り外した状況の正面側の斜視図。
【図４１】球集合板に取り付けられたヒンジ部材の分解斜視図。
【図４２】球集合板に取り付けられたヒンジ部材の分解斜視図。
【図４３】ヒンジ部材が収納位置にあるときの遊技盤の背面側の斜視図。
【図４４】図４３の要部拡大図。
【図４５】ヒンジ部材が収納位置にあるときの遊技盤の背面側の斜視図。
【図４６】図４５の要部拡大図。
【図４７】ヒンジ部材が収納位置にあるときの遊技盤の背面側の斜視図。
【図４８】図４７の要部拡大図。
【図４９】ヒンジ部材が収納位置にあるときの遊技盤の背面側の斜視図。
【図５０】図４９の要部拡大図。
【図５１】ヒンジ部材が取付位置にあるときの遊技盤の背面側の斜視図。
【図５２】図５１の要部拡大図。
【図５３】ヒンジ部材が取付位置にあるときの遊技盤の背面側の斜視図。
【図５４】図５３の要部拡大図。
【図５５】ヒンジ部材が取付位置にあるときの遊技盤の背面側の斜視図。
【図５６】図５５の要部拡大図。
【図５７】ヒンジ部材が取付位置にあるときの遊技盤の背面側の斜視図。
【図５８】図５７の要部拡大図。
【図５９】ヒンジ部材が開位置にあるときの遊技盤の背面側の斜視図。
【図６０】図５９の要部拡大図。
【図６１】ヒンジ部材が開位置にあるときの遊技盤の背面側の斜視図。
【図６２】図６１の要部拡大図。
【図６３】ヒンジ部材が開位置にあるときの遊技盤の背面側の斜視図。
【図６４】図６３の要部拡大図。
【図６５】ヒンジ部材が開位置にあるときの遊技盤の背面側の斜視図。
【図６６】図６５の要部拡大図。
【図６７】連結封止部にヒンジ部材の挿入片を挿入した状況の背面側の斜視図。
【図６８】連結封止部にヒンジ部材の挿入片を挿入し連結封止部の外側ブロックを取り外した状況の背面側の斜視図。
【図６９】連結封止部にヒンジ部材の挿入片を挿入した状況の背面側の分解斜視図。
【図７０】連結封止部にヒンジ部材の挿入片を挿入した状況の背面図。
【図７１】図７０のＣ−Ｃ線部断面図。
【符号の説明】
【０２２５】
２０１Ａ：第１制御基板ボックス
９０：ヒンジ部材（第１機構部）
９２６：係合孔（係合部）
９２３：挿入片
８６：連結封止部（第２機構部）
８６Ｓ：挿入口
【図１】
2010148807.tif 000003
【図２】
2010148807.tif 000004
【図３】
2010148807.tif 000005
【図４】
2010148807.tif 000006
【図５】
2010148807.tif 000007
【図６】
2010148807.tif 000008
【図７】
2010148807.tif 000009
【図８】
2010148807.tif 000010
【図９】
2010148807.tif 000011
【図１０】
2010148807.tif 000012
【図１１】
2010148807.tif 000013
【図１２】
2010148807.tif 000014
【図１３】
2010148807.tif 000015
【図１４】
2010148807.tif 000016
【図１５】
2010148807.tif 000017
【図１６】
2010148807.tif 000018
【図１７】
2010148807.tif 000019
【図１８】
2010148807.tif 000020
【図１９】
2010148807.tif 000021
【図２０】
2010148807.tif 000022
【図２１】
2010148807.tif 000023
【図２２】
2010148807.tif 000024
【図２３】
2010148807.tif 000025
【図２４】
2010148807.tif 000026
【図２５】
2010148807.tif 000027
【図２６】
2010148807.tif 000028
【図２７】
2010148807.tif 000029
【図２８】
2010148807.tif 000030
【図２９】
2010148807.tif 000031
【図３０】
2010148807.tif 000032
【図３１】
2010148807.tif 000033
【図３２】
2010148807.tif 000034
【図３３】
2010148807.tif 000035
【図３４】
2010148807.tif 000036
【図３５】
2010148807.tif 000037
【図３６】
2010148807.tif 000038
【図３７】
2010148807.tif 000039
【図３８】
2010148807.tif 000040
【図３９】
2010148807.tif 000041
【図４０】
2010148807.tif 000042
【図４１】
2010148807.tif 000043
【図４２】
2010148807.tif 000044
【図４３】
2010148807.tif 000045
【図４４】
2010148807.tif 000046
【図４５】
2010148807.tif 000047
【図４６】
2010148807.tif 000048
【図４７】
2010148807.tif 000049
【図４８】
2010148807.tif 000050
【図４９】
2010148807.tif 000051
【図５０】
2010148807.tif 000052
【図５１】
2010148807.tif 000053
【図５２】
2010148807.tif 000054
【図５３】
2010148807.tif 000055
【図５４】
2010148807.tif 000056
【図５５】
2010148807.tif 000057
【図５６】
2010148807.tif 000058
【図５７】
2010148807.tif 000059
【図５８】
2010148807.tif 000060
【図５９】
2010148807.tif 000061
【図６０】
2010148807.tif 000062
【図６１】
2010148807.tif 000063
【図６２】
2010148807.tif 000064
【図６３】
2010148807.tif 000065
【図６４】
2010148807.tif 000066
【図６５】
2010148807.tif 000067
【図６６】
2010148807.tif 000068
【図６７】
2010148807.tif 000069
【図６８】
2010148807.tif 000070
【図６９】
2010148807.tif 000071
【図７０】
2010148807.tif 000072
【図７１】
2010148807.tif 000073